(57)【特許請求の範囲】
【請求項１】
多元接続性無線ネットワークにおいて送信電力を割り振るための方法であって、
ユーザ機器（ＵＥ）で、第１のセルグループ内の第１のプライマリセルと第１の接続を確立することと、
前記ＵＥで、第２のセルグループ内の第２のプライマリセルと第２の接続を確立することと、
前記ＵＥで前記第１のプライマリセルから第１の送信電力を受け取ることに少なくとも基づいて、前記ＵＥで、送信時間間隔（ＴＴＩ）において前記第１のセルグループと通信するための第１の送信電力を設定すること、ここにおいて、前記第１の送信電力は、前記ＵＥにおける利用可能な送信電力の複数の割合のうちの１つにマッピングする値を含む、と
前記第１の送信電力を受け取ること、または第２の送信電力を受け取ることに少なくとも基づいて、前記ＵＥで、前記ＴＴＩにおいて前記第２のセルグループと通信するための第２の送信電力を設定することと、
前記ＵＥで前記ＴＴＩにおいて、前記第１の送信電力に基づいて前記第１の接続を通じて第１の通信を、および、前記第２の送信電力に基づいて前記第２の接続を通じて第２の通信を、送信することと、
を備える、多元接続性無線ネットワークにおいて送信電力を割り振るための方法。
【請求項２】
前記第１の通信は、前記第１のプライマリセルとの前記第１の接続を通じて実行される第１のランダムアクセスプロシージャに関し、および、ここにおいて、前記第２の通信は、前記第２のプライマリセルとの前記第２の接続を通じて実行される第２のランダムアクセスプロシージャに関する、
請求項１に記載の方法。
【請求項３】
前記第１のランダムアクセスプロシージャにおけるランダムアクセス試行の数に少なくとも基づいて前記第１のランダムアクセスプロシージャよりも前記第２のランダムアクセスプロシージャを優先させることをさらに備える、
請求項２に記載の方法。
【請求項４】
前記第２のランダムアクセスプロシージャにおける次のランダムアクセス送信のために使用すべき電力に少なくとも基づいて前記第１のランダムアクセスプロシージャよりも前記第２のランダムアクセスプロシージャを優先させることをさらに備える、
請求項２に記載の方法。
【請求項５】
前記第１のランダムアクセスプロシージャは、第１のタイマに基づき、前記第２のランダムアクセスプロシージャは、第２のタイマに基づき、ここにおいて、前記第１のタイマおよび前記第２のタイマは、異なるタイマ値を利用する、
請求項２に記載の方法。
【請求項６】
前記第１の通信および前記第２の通信を送信することは、前記ＴＴＩにおいて第１のアクセスプローブよりも高い送信電力を有する第２のアクセスプローブを送信することを備える、
請求項２に記載の方法。
【請求項７】
前記第２の送信電力を受け取ることは、前記第１のプライマリセルを通じてトンネリングされたメッセージにおいて前記第２のプライマリセルから前記第２の送信電力を受け取ることを備える、
請求項１に記載の方法。
【請求項８】
前記第２の送信電力が受け取られるまで前記ＴＴＩにおいて前記第２のセルグループと通信するために異なる送信電力を使用することをさらに備え、ここにおいて、前記異なる送信電力は、前記第２のセルグループと通信するために使用された以前の送信電力である、
請求項１に記載の方法。
【請求項９】
前記第２の送信電力が受け取られるまで前記ＴＴＩにおいて前記第２のセルグループと通信するために異なる送信電力を使用することをさらに備え、ここにおいて、前記異なる送信電力は、前記第１の送信電力プラス前記第２のセルグループと通信する際に使用される現在の送信電力が利用可能な送信電力を超える場合に前記第１の送信電力に少なくとも基づいて設定される、
請求項１に記載の方法。
【請求項１０】
前記複数の割合の少なくとも一部分は、異なる粒度である、
請求項１に記載の方法。
【請求項１１】
トランスポートブロックビットが関連するチャネルの内容に少なくとも基づいて前記第１の接続または前記第２の接続を通じての送信のために前記トランスポートブロックビットの数の優先順位を設定することを決定することをさらに備える、
請求項１に記載の方法。
【請求項１２】
トランスポートブロックビットの前記数の優先順位を設定することを決定することは、新しい送信に関連するトランスポートブロックビットよりも再送信に関連するそれらを優先させることを備える、
請求項１１に記載の方法。
【請求項１３】
トランスポートブロックビットの前記数の優先順位を設定することを決定することは、無線リソース制御（ＲＲＣ）通信に対応するアップリンク制御チャネル上のトランスポートブロックビットの送信電力をスケーリングすることを備える、
請求項１１に記載の方法。
【請求項１４】
多元接続性無線ネットワークにおいて送信電力を割り振るための装置であって、
前記装置で第１のセルグループ内の第１のプライマリセルと第１の接続を確立し、および、前記装置で第２のセルグループ内の第２のプライマリセルと第２の接続を確立するように構成された通信コンポーネントと、
前記装置で前記第１のプライマリセルから第１の送信電力を受け取ることに少なくとも基づいて、前記装置で、送信時間間隔（ＴＴＩ）において前記第１のセルグループと通信するための第１の送信電力を設定し、ここにおいて、前記第１の送信電力は、前記装置における利用可能な送信電力の複数の割合のうちの１つにマッピングする値を含む、および
前記第１の送信電力を受け取ること、または第２の送信電力を受け取ることに少なくとも基づいて、前記装置で、前記ＴＴＩにおいて前記第２のセルグループと通信するための第２の送信電力を設定する、
ように構成された送信電力割り振りコンポーネントと、
ここにおいて、前記通信コンポーネントは、前記装置で前記ＴＴＩにおいて、前記第１の送信電力に基づいて前記第１の接続を通じて第１の通信を、および、前記第２の送信電力に基づいて前記第２の接続を通じて第２の通信を、送信するようにさらに構成される、
を実行するように構成された少なくとも１つのプロセッサと、
前記少なくとも１つのプロセッサに結合されたメモリと、
を備える、多元接続性無線ネットワークにおいて送信電力を割り振るための装置。
【請求項１５】
前記第１の通信は、前記第１のプライマリセルとの前記第１の接続を通じて実行される第１のランダムアクセスプロシージャに関し、および、ここにおいて、前記第２の通信は、前記第２のプライマリセルとの前記第２の接続を通じて実行される第２のランダムアクセスプロシージャに関する、
請求項１４に記載の装置。
【請求項１６】
前記少なくとも１つのプロセッサは、前記第１のランダムアクセスプロシージャにおけるランダムアクセス試行の数に少なくとも基づいて前記第１のランダムアクセスプロシージャよりも前記第２のランダムアクセスプロシージャを優先させるように構成されたランダムアクセスチャネル（ＲＡＣＨ）コンポーネントを実行するようにさらに構成される、
請求項１５に記載の装置。
【請求項１７】
前記少なくとも１つのプロセッサは、前記第２のランダムアクセスプロシージャにおける次のランダムアクセス送信のために使用すべき電力に少なくとも基づいて前記第１のランダムアクセスプロシージャよりも前記第２のランダムアクセスプロシージャを優先させるように構成されたランダムアクセスチャネル（ＲＡＣＨ）コンポーネントを実行するようにさらに構成される、
請求項１５に記載の装置。
【請求項１８】
前記通信コンポーネントは、前記ＴＴＩにおいて第１のアクセスプローブよりも高い送信電力を有する第２のアクセスプローブを送信するように構成される、
請求項１５に記載の装置。
【請求項１９】
前記送信電力割り振りコンポーネントは、前記第１のプライマリセルを通じてトンネリングされたメッセージにおいて前記第２のプライマリセルから前記第２の送信電力を受け取るように構成される、
請求項１４に記載の装置。
【請求項２０】
前記送信電力割り振りコンポーネントは、前記第２の送信電力が受け取られるまで前記ＴＴＩにおいて前記第２のセルグループと通信するために異なる送信電力を使用するように構成され、ここにおいて、前記異なる送信電力は、前記第２のセルグループと通信するために使用された以前の送信電力である、
請求項１４に記載の装置。
【請求項２１】
前記送信電力割り振りコンポーネントは、前記第２の送信電力が受け取られるまで前記ＴＴＩにおいて前記第２のセルグループと通信するために異なる送信電力を使用するように構成され、ここにおいて、前記異なる送信電力は、前記第１の送信電力プラス前記第２のセルグループと通信する際に使用される現在の送信電力が利用可能な送信電力を超える場合に前記第１の送信電力に少なくとも基づいて設定される、
請求項１４に記載の装置。
【請求項２２】
前記少なくとも１つのプロセッサは、トランスポートブロックビットが関連するチャネルの内容に少なくとも基づいて前記第１の接続または前記第２の接続を通じての送信のために前記トランスポートブロックビットの数の優先順位を設定することを決定するように構成された送信優先順位設定コンポーネントを実行するようにさらに構成される、
請求項１４に記載の装置。
【請求項２３】
前記複数の割合のうちの少なくとも一部分は異なる粒度である、請求項１４に記載の装置。
【請求項２４】
多元接続性無線ネットワークにおいて送信電力を割り振るための装置であって、
前記装置で第１のセルグループ内の第１のプライマリセルと第１の接続を確立し、および、前記装置で第２のセルグループ内の第２のプライマリセルと第２の接続を確立するための手段と、
前記装置で前記第１のプライマリセルから第１の送信電力を受け取ることに少なくとも基づいて、前記装置で、送信時間間隔（ＴＴＩ）において前記第１のセルグループと通信するための第１の送信電力を設定するための手段と、ここにおいて、前記第１の送信電力は、前記装置における利用可能な送信電力の複数の割合のうちの１つにマッピングする値を含む、
前記第１の送信電力を受け取ること、または第２の送信電力を受け取ることに少なくとも基づいて、前記装置で、前記ＴＴＩにおいて前記第２のセルグループと通信するための第２の送信電力を設定するための手段と、
前記装置で前記ＴＴＩにおいて、前記第１の送信電力に基づいて前記第１の接続を通じて第１の通信を、および、前記第２の送信電力に基づいて前記第２の接続を通じて第２の通信を、送信するための手段と、
を備える、多元接続性無線ネットワークにおいて送信電力を割り振るための装置。
【請求項２５】
前記第１の通信は、前記第１のプライマリセルとの前記第１の接続を通じて実行される第１のランダムアクセスプロシージャに関し、および、ここにおいて、前記第２の通信は、前記第２のプライマリセルとの前記第２の接続を通じて実行される第２のランダムアクセスプロシージャに関する、
請求項２４に記載の装置。
【請求項２６】
前記複数の割合のうちの少なくとも一部分は異なる粒度である、
請求項２４に記載の装置。
【請求項２７】
多元接続性無線ネットワークにおいて送信電力を割り振るためのコンピュータによって実行可能なコードを備える非一時的なコンピュータ可読記憶媒体であって、前記コードは、
ユーザ機器（ＵＥ）において第１のセルグループ内の第１のプライマリセルと第１の接続を確立し、および、前記ＵＥにおいて第２のセルグループ内の第２のプライマリセルと第２の接続を確立するためのコードと、
前記ＵＥで前記第１のプライマリセルから第１の送信電力を受け取ることに少なくとも基づいて、前記ＵＥで、送信時間間隔（ＴＴＩ）において前記第１のセルグループと通信するための第１の送信電力を設定するためのコードと、ここにおいて、前記第１の送信電力は、前記ＵＥにおける利用可能な送信電力の複数の割合のうちの１つにマッピングする値を含む、
前記第１の送信電力を受け取ること、または第２の送信電力を受け取ることに少なくとも基づいて、前記ＵＥで、前記ＴＴＩにおいて前記第２のセルグループと通信するための第２の送信電力を設定するためのコードと、
前記ＵＥで前記ＴＴＩにおいて、前記第１の送信電力に基づいて前記第１の接続を通じて第１の通信を、および、前記第２の送信電力に基づいて前記第２の接続を通じて第２の通信を、送信するためのコードと、
を備える、非一時的なコンピュータ可読記憶媒体。
【請求項２８】
前記第１の通信は、前記第１のプライマリセルとの前記第１の接続を通じて実行される第１のランダムアクセスプロシージャに関し、および、ここにおいて、前記第２の通信は、前記第２のプライマリセルとの前記第２の接続を通じて実行される第２のランダムアクセスプロシージャに関する、
請求項２７に記載の非一時的なコンピュータ可読記憶媒体。
【請求項２９】
前記複数の割合のうちの少なくとも一部分は異なる粒度である、
請求項２７に記載の非一時的なコンピュータ可読記憶媒体。
【発明の詳細な説明】
【優先権の主張】
【０００１】
[0001]本特許出願は、本明細書の譲受人に譲渡されおよび本明細書における引用によってそれらの全体が明示で本明細書に組み込まれており、２０１５年６月１０日に出願され、「ＴＥＣＨＮＩＱＵＥＳ  ＦＯＲ  ＰＲＩＯＲＩＴＩＺＩＮＧ  ＴＲＡＮＳＭＩＳＳＩＯＮＳ  ＩＮ  ＭＵＬＴＩＰＬＥ  ＣＯＮＮＥＣＴＩＶＩＴＹ  ＷＩＲＥＬＥＳＳ  ＣＯＭＭＵＮＩＣＡＴＩＯＮＳ」と題する非仮特許出願第１４／７３５，８１９号、および、２０１４年８月５日に出願され、「ＴＥＣＨＮＩＱＵＥＳ  ＦＯＲ  ＰＲＩＯＲＩＴＩＺＩＮＧ  ＴＲＡＮＳＭＩＳＳＩＯＮＳ  ＩＮ  ＭＵＬＴＩＰＬＥ  ＣＯＮＮＥＣＴＩＶＩＴＹ  ＷＩＲＥＬＥＳＳ  ＣＯＭＭＵＮＩＣＡＴＩＯＮＳ」と題する仮特許出願第６２／０３３，５５０号、に対する優先権を主張する。
【技術分野】
【０００２】
[0002]本開示は、例えば、無線通信システムに関し、より具体的には、無線通信において送信の優先順位を設定するための技法に関する。
【背景技術】
【０００３】
[0003]音声、映像、パケットデータ、メッセージング、ブロードキャスト、等のような様々な通信サービスを提供するために無線通信ネットワークが広く展開されている。これらの無線ネットワークは、利用可能なネットワークリソースを共有することによって複数のユーザをサポートすることが可能な多元接続ネットワークであり得る。そのような多元接続ネットワークの例は、符号分割多元接続（ＣＤＭＡ）ネットワークと、時分割多元接続（ＴＤＭＡ）ネットワークと、周波数分割多元接続（ＦＤＭＡ）ネットワークと、直交ＦＤＭＡ（ＯＦＤＭＡ）ネットワークと、単一キャリアＦＤＭＡ（ＳＣ−ＦＤＭＡ）ネットワークと、を含む。
【０００４】
[0004]無線通信ネットワークは、幾つかのユーザ機器（ＵＥ）のための通信をサポートすることができる幾つかの基地局（例えば、ｅＮｏｄｅＢ）を含み得る。ＵＥは、ダウンリンクおよびアップリンクを介して基地局と通信し得る。ダウンリンク（または順方向リンク）は、基地局からＵＥへの通信リンクを意味し、アップリンク（または逆方向リンク）は、ＵＥから基地局への通信リンクを意味する。
【０００５】
[0005]多元接続性では、ＵＥは、複数のリンクを使用して複数の基地局によって構成された複数のセルまたはセルグループと通信するように構成されることができる。しかしながら、ＵＥは、電力が制限され得、複数のセルまたはセルグループによって期待される送信電力でそれらのセルまたはセルグループに通信を送信することができないことがある。さらに、例えば、送信時間間隔（ＴＴＩ）内にトランスポートブロックビットの最大数を送信するためのＵＥ能力が超えられることがある。
【発明の概要】
【０００６】
[0006]本開示の態様は、概して、無線通信に関し、より具体的には、多元接続性無線通信において送信の優先順位を設定するための技法に関する。
【０００７】
[0007]一態様により、無線デバイス（例えば、ユーザ機器（ＵＥ））は、複数のセルまたはセルグループ（例えば、プライマリセルグループ（ＰＣＧ）またはセカンダリセルグループ（ＳＣＧ））と通信し得、ここで、セルグループは、無線ネットワークにおいて１つまたは複数の基地局（例えば、マスタｅＮｏｄｅＢ（ＭｅＮｏｄｅＢまたはＭｅＮＢ）および／または少なくとも１つのセカンダリｅＮｏｄｅＢ（ＳｅＮｏｄｅＢまたはＳｅＮＢ））によって構成されることができる。ＰＣＧおよびＳＣＧの各々は、１つまたは複数のセルを含むことができる。一例において、無線デバイスは、ＰＣＧとの（例えば、１つまたは複数のキャリアを通じての）第１の接続を構成し得、および、無線デバイスは、ＳＣＧとの（例えば、１つまたは複数のキャリアを通じての）第２の接続を構成し得る。無線デバイスは、通信が同様の期間でスケジューリングされている（例えば、ＰＣＧおよびＳＣＧとの通信が同時である）ときにＰＣＧとの通信およびＳＣＧとの通信のいずれを優先させるべきかを適宜決定（例えば、送信、関連チャネル、送信電力、等のいずれを優先させるべきかを決定）し得る。例えば、無線デバイスは、ＰＣＧまたはＳＣＧに関するランダムアクセスチャネル送信、ＰＣＧおよび／またはＳＣＧと通信するための送信電力、ＰＣＧおよび／またはＳＣＧと通信するためのトランスポートブロックビット、等のいずれを優先させるべきかを決定し得る。
【０００８】
[0008]一例において、多元接続性無線ネットワークにおいて送信電力を割り振るための方法が提供される。方法は、第１のセルグループ内の第１のプライマリセルと第１の接続を確立することと、第２のセルグループ内の第２のプライマリセルと第２の接続を確立することと、第１の接続を通じての第１の通信または第２の接続を通じての第２の通信のいずれを優先させるべきかを決定すること、ここにおいて、第１の通信および第２の通信は、同時送信のためにスケジューリングされる、と、第１の通信または第２の通信のいずれを優先させるべきかを決定することに少なくとも部分的に基づいて送信時間間隔（ＴＴＩ）において第１の接続を通じての第１の通信または第２の接続を通じての第２の通信のうちの少なくとも１つを送信することと、を含む。
【０００９】
[0009]方法はまた、第１の通信が第１のプライマリセルとの第１の接続を通じて実行される第１のランダムアクセスプロシージャに関し、および、ここにおいて、第２の通信が第２のプライマリセルとの第２の接続を通じて実行される第２のランダムアクセスプロシージャに関する、ことを含み得る。方法は、第１の通信または第２の通信のいずれを優先させるべきかを決定することが、第１のランダムアクセスプロシージャにおけるランダムアクセス試行の数に少なくとも部分的に基づいて第１のランダムアクセスプロシージャよりも第２のランダムアクセスプロシージャを優先させることを備える、ことをさらに含み得る。方法は、第１の通信または第２の通信のいずれを優先させるべきかを決定することが、第２のランダムアクセスプロシージャにおける次のランダムアクセス送信のために使用すべき電力に少なくとも部分的に基づいて第１のランダムアクセスプロシージャよりも第２のランダムアクセスプロシージャを優先させることを備える、ことをさらに含み得る。さらに、方法は、第１のランダムアクセスプロシージャが第１のタイマに基づき、第２のランダムアクセスプロシージャが第２のタイマに基づき、ここにおいて、第１のタイマおよび第２のタイマが異なるタイマ値を利用する、ことを含み得る。さらに、方法は、第１の通信または第２の通信のうちの少なくとも１つを送信することが、第１のランダムアクセスプロシージャの第１のアクセスプローブの代わりにＴＴＩにおいて第２のランダムアクセスプロシージャの第２のアクセスプローブを送信することまたはＴＴＩにおいて第１のアクセスプローブよりも高い送信電力を有する第２のアクセスプローブを送信することのうちの少なくとも１つを備える、ことを含み得る。
【００１０】
[0010]方法は、第１のプライマリセルから第１の送信電力を受け取ることに少なくとも部分的に基づいてＴＴＩにおいて第１のセルグループと通信するための第１の送信電力を設定することと、第１のプライマリセルまたは第２のプライマリセルから第２の送信電力を受け取ることに少なくとも部分的に基づいてＴＴＩにおいて第２のセルグループと通信するための第２の送信電力を設定することと、をさらに含み得、ここにおいて、第１の通信または第２の通信のいずれを優先させるべきかを決定することは、第１の送信電力および第２の送信電力に基づいて第１の通信または第２の通信を優先させることを決定することを備え、および、ここにおいて、第１の通信または第２の通信のうちの少なくとも１つを送信することは、ＴＴＩにおいて、第１の送信電力に基づいて第１の接続を通じて第１の通信を送信することと、第２の送信電力に基づいて第２の接続を通じて第２の通信を送信することと、を備える。方法はまた、第２の送信電力を受け取ることが、第１のプライマリセルを通じてトンネリング（ｔｕｎｎｅｌｌｉｎｇ）されたメッセージにおいて第２のプライマリセルから第２の送信電力を受け取ることを備える、ことを含み得る。さらに、方法は、第２の送信電力が受け取られるまでＴＴＩにおいて第２のセルグループと通信するために異なる送信電力を使用することを含み得、ここにおいて、異なる送信電力は、第２のセルグループと通信するために使用された以前の送信電力である。方法はまた、第２の送信電力が受け取られるまでＴＴＩにおいて第２のセルグループと通信するために異なる送信電力を使用することを含み得、ここにおいて、異なる送信電力は、第１の送信電力プラス第２のセルグループと通信する際に使用される現在の送信電力が利用可能な送信電力を超える場合に第１の送信電力に少なくとも部分的に基づいて設定される。さらに、方法は、第１の送信電力または第２の送信電力のうちの少なくとも１つが、利用可能な送信電力の複数の割合のうちの１つにマッピングする値として受け取られる、ことを含み得る。方法はまた、複数の割合のうちの少なくとも一部分は異なる粒度（ｇｒａｎｕｌａｒｉｔｙ）であることを含み得る。
【００１１】
[0011]方法はまた、第１の通信または第２の通信のいずれを優先させるべきかを決定することが、トランスポートブロックビットが関連するチャネルの内容に少なくとも部分的に基づいて第１の接続または第２の接続を通じての送信のためのトランスポートブロックビットの数の優先順位を設定することを決定することを備える、ことを含み得る。さらに、方法は、トランスポートブロックビットの数の優先順位を設定することを決定することが、新しい送信に関連するトランスポートブロックビットよりも再送信に関連するそれらを優先させることを備える、ことを含み得る。さらに、方法は、トランスポートブロックビットの数の優先順位を設定することを決定することが、無線リソース制御（ＲＲＣ）通信に対応するアップリンク制御チャネル上でトランスポートブロックビットの送信電力をスケーリングすることを備える、ことを含み得る。
【００１２】
[0012]別の例において、多元接続性無線ネットワークにおいて送信電力を割り振るための装置が提供される。装置は、第１のセルグループ内の第１のプライマリセルと第１の接続を確立しおよび第２のセルグループ内の第２のプライマリセルと第２の接続を確立するように構成された通信コンポーネントと、第１の接続を通じての第１の通信または第２の接続を通じての第２の通信のいずれを優先させるべきかを決定するように構成された送信優先順位設定コンポーネントと、を含み、ここにおいて、第１の通信および第２の通信は、同時送信のためにスケジューリングされ、ここにおいて、通信コンポーネントは、送信優先順位設定コンポーネントが第１の通信または第２の通信のいずれを優先させるべきかを決定することに少なくとも部分的に基づいて送信時間間隔（ＴＴＩ）において第１の接続を通じての第１の通信または第２の接続を通じての第２の通信のうちの少なくとも１つを送信するようにさらに構成される。
【００１３】
[0013]装置は、第１の通信が第１のプライマリセルとの第１の接続を通じて実行される第１のランダムアクセスプロシージャに関し、および、ここにおいて、第２の通信が第２のプライマリセルとの第２の接続を通じて実行される第２のランダムアクセスプロシージャに関する、ことをさらに含むことができる。装置はまた、送信優先順位設定コンポーネントが、第１のランダムアクセスプロシージャにおけるランダムアクセス試行の数に少なくとも部分的に基づいて第１のランダムアクセスプロシージャよりも第２のランダムアクセスプロシージャを優先させるように構成されたランダムアクセスチャネル（ＲＡＣＨ）コンポーネントを備える、ことを含み得る。さらに、装置は、送信優先順位設定コンポーネントが、第２のランダムアクセスプロシージャにおける次のランダムアクセス送信のために使用すべき電力に少なくとも部分的に基づいて第１のランダムアクセスプロシージャよりも第２のランダムアクセスプロシージャを優先させるように構成されたランダムアクセスチャネル（ＲＡＣＨ）コンポーネントを備える、ことを含み得る。さらに、装置は、通信コンポーネントが、第１のランダムアクセスプロシージャの第１のアクセスプローブの代わりにＴＴＩにおいて第２のランダムアクセスプロシージャの第２のアクセスプローブを送信することまたはＴＴＩにおいて第１のアクセスプローブよりも高い送信電力を有する第２のアクセスプローブを送信することのうちの少なくとも１つであるように構成される、ことを含み得る。
【００１４】
[0014]装置の送信優先順位設定コンポーネントは、第１のプライマリセルから第１の送信電力を受け取ることに少なくとも部分的に基づいてＴＴＩにおいて第１のセルグループと通信するための第１の送信電力を設定し、および、第１のプライマリセルまたは第２のプライマリセルから第２の送信電力を受け取ることに少なくとも部分的に基づいてＴＴＩにおいて第２のセルグループと通信するための第２の送信電力を設定するように構成された送信電力割り振りコンポーネントを含み得、ここにおいて、送信優先順位設定コンポーネントは、第１の送信電力および第２の送信電力に基づいて第１の通信または第２の通信を優先させることを決定するように構成され、および、ここにおいて、通信コンポーネントは、ＴＴＩにおいて、第１の送信電力に基づいて第１の接続を通じて第１の通信を送信しおよび第２の送信電力に基づいて第２の接続を通じて第２の通信を送信するように構成される。装置はまた、送信電力割り振りコンポーネントが、第１のプライマリセルを通じてトンネリングされたメッセージにおいて第２のプライマリセルから第２の送信電力を受け取るように構成される、ことを含み得る。装置は、送信電力割り振りコンポーネントが、第２の送信電力が受け取られるまでＴＴＩにおいて第２のセルグループと通信するために異なる送信電力を使用するように構成される、ことをさらに含み得、ここにおいて、異なる送信電力は、第２のセルグループと通信するために使用された以前の送信電力である。さらに、装置は、送信電力割り振りコンポーネントが、第２の送信電力が受け取られるまでＴＴＩにおいて第２のセルグループと通信するために異なる送信電力を使用するように構成される、ことを含み得、ここにおいて、異なる送信電力は、第１の送信電力プラス第２のセルグループと通信する際に使用される現在の送信電力が利用可能な送信電力を超える場合に第１の送信電力に少なくとも部分的に基づいて設定される。装置はまた、送信電力割り振りコンポーネントが、第１の送信電力または第２の送信電力のうちの少なくとも１つを利用可能な送信電力の複数の割合のうちの１つにマッピングする値として受け取るように構成される、ことを含み得る。
【００１５】
[0015]装置は、送信優先順位設定コンポーネントが、トランスポートブロックビットが関連するチャネルの内容に少なくとも部分的に基づいて第１の接続または第２の接続を通じての送信のためにトランスポートブロックビットの数の優先順位を設定することを決定するように構成される、ことをさらに含み得る。
【００１６】
[0016]さらに別の例において、多元接続性無線ネットワークにおいて送信電力を割り振るための装置が提供される。装置は、第１のセルグループ内の第１のプライマリセルと第１の接続を確立し、および、第２のセルグループ内の第２のプライマリセルと第２の接続を確立するための手段と、第１の接続を通じての第１の通信または第２の接続を通じての第２の通信のいずれを優先させるべきかを決定するための手段、ここにおいて、第１の通信および第２の通信は同時送信のためにスケジューリングされる、と、第１の通信または第２の通信のいずれを優先させるべきかを決定するための手段に少なくとも部分的に基づいて送信時間間隔（ＴＴＩ）において第１の接続を通じての第１の通信または第２の接続を通じての第２の通信のうちの少なくとも１つを送信するための手段と、を含む。装置はまた、第１の通信が第１のプライマリセルとの第１の接続を通じて実行される第１のランダムアクセスプロシージャに関し、第２の通信が第２のプライマリセルとの第２の接続を通じて実行される第１のランダムアクセスプロシージャに関する、ことを含み得る。
【００１７】
[0017]別の例において、多元接続性無線ネットワークにおいて送信電力を割り振るためのコンピュータによって実行可能なコードを備えるコンピュータ可読媒体が提供される。コードは、第１のセルグループ内の第１のプライマリセルと第１の接続を確立し、および、第２のセルグループ内の第２のプライマリセルと第２の接続を確立するためのコードと、第１の接続を通じての第１の通信または第２の接続を通じての第２の通信のいずれを優先させるべきかを決定するためのコード、ここにおいて、第１の通信および第２の通信は同時送信のためにスケジューリングされる、と、第１の通信または第２の通信のいずれを優先させるべきかを決定するためのコードに少なくとも部分的に基づいて送信時間間隔（ＴＴＩ）において第１の接続を通じての第１の通信または第２の接続を通じての第２の通信のうちの少なくとも１つを送信するためのコードと、を含む。コンピュータ可読記憶媒体はまた、第１の通信が第１のプライマリセルとの第１の接続を通じて実行される第１のランダムアクセスプロシージャに関し、および、ここにおいて、第２の通信が第２のプライマリセルとの第２の接続を通じて実行される第２のランダムアクセスプロシージャに関する、ことを含むことができる。
【００１８】
[0018]本開示の様々な態様および特徴が、添付される図面において示される様々な例に関連して以下においてさらに詳細に説明される。本開示は様々な例に関連して以下において説明されるが、本開示はそれらには限定されないことが理解されるべきである。本明細書における教示へのアクセスを有する当業者は、本明細書において説明される本開示の適用範囲内にあり、本開示が重要な効用を有し得る追加の実装、変更、および例、並びに他の使用分野を認識するであろう。
【図面の簡単な説明】
【００１９】
[0019]本開示のより完全な理解を容易にするために、今度は添付される図面が参照され、それらにおいて、同様の要素は同様の数字を用いて参照される。これらの図面は、本開示を限定するものであるとは解釈されるべきでなく、例示することのみを目的とすることが意図される。
【図１】[0020]  図１は、本開示の様々な態様による、無線通信システムの例を概念的に示したブロック図である。
【図２】[0021]  図２は、本開示の様々な態様により構成されたｅＮｏｄｅＢおよびＵＥの例を概念的に示したブロック図である。
【図３】[0022]  図３は、本開示の様々な態様による、ＵＥにおける無線アクセス技術のアグリゲーションを概念的に示したブロック図である。
【図４】[0023]  図４は、本開示の様々な態様による、ＵＥとＰＤＮとの間のデータ経路の例を概念的に示したブロック図である。
【図５】[0024]  図５は、本開示の様々な態様による、多元接続性キャリアアグリゲーションを概念的に示した概略図である。
【図６】[0025]  図６は、本開示の様々な態様により構成されたＵＥおよびコンポーネントの例を概念的に示したブロック図である。
【図７】[0026]  図７は、本開示の様々な態様による、通信の優先順位を設定すべきかどうかを決定するための方法を示したフローチャートである。
【図８】[0027]  図８は、本開示の様々な態様による、ランダムアクセスプロシージャを実行するための方法を示したフローチャートである。
【図９】[0028]  図９は、本開示の様々な態様による、送信電力を割り振るための方法を示したフローチャートである。
【図１０】[0029]  図１０は、本開示の様々な態様による、トランスポートブロックビットを優先させるための方法を示したフローチャートである。
【図１１】[0030]  図１１は、本開示の様々な態様により構成されたネットワークエンティティおよびコンポーネントの例を概念的に示したブロック図である。
【図１２】[0031]  図１２は、本開示の様々な態様による、送信電力割り振りを示すための方法を示したフローチャートである。
【図１３】[0032]  図１３は、本開示の様々な態様により構成された処理システムを使用する装置に関するハードウェア実装例を概念的に示したブロック図である。
【発明を実施するための形態】
【００２０】
[0033]添付された図面に関連して以下に記載される詳細な説明は、様々な構成の説明として意図され、本明細書において説明される概念が実行され得る唯一の構成を表すことは意図されない。詳細な説明は、様々な概念の徹底的な理解を提供するための具体的な詳細を含む。しかしながら、これらの概念は、これらの具体的な詳細なしで実行され得ることが当業者にとって明らかになるであろう。幾つかの例では、周知の構造およびコンポーネントは、そのような概念を不明瞭にすることを回避するためにブロック図の形で示される。
【００２１】
[0034]多元接続性無線通信において複数のセルまたはセルグループへの送信の優先順位を設定すべきかどうか決定するための方法と、装置と、デバイスと、システムとを含む様々な技法が説明される。幾つかの態様において、無線デバイス（例えば、ユーザ機器（ＵＥ））は、多元接続性無線通信を使用する１つまたは複数のネットワークエンティティによって構成された複数のセルと通信することができ、無線デバイスが無線ネットワークにアクセスする際に通信することができる複数のセルの各々から許可されたリソースを受け取ることを含み得る。幾つかの態様において、無線デバイスは、第１のプライマリセル（例えば、マスタセルグループ（ＭＣＧ）／プライマリセルグループ（ＰＣＧ）のプライマリセル（ＰＣｅｌｌ）であり、本明細書においてはＰＣｅｌｌＰＣＧとも呼ばれる）と通信するために第１の構成情報を受信し得る。無線デバイスはまた、第２のプライマリセル（例えば、セカンダリセルグループ（ＳＣＧ）の第２のＰＣｅｌｌであり、本明細書においてはＰＣｅｌｌＳＣＧとも呼ばれる）と通信するために第２の構成情報を受信し得る。多元接続性の場合、ＰＣｅｌｌは、異なるｅＮｏｄｅＢ（例えば、ＰＣｅｌｌＰＣＧを提供するマスタｅＮｏｄｅＢまたはＭｅＮｏｄｅＢ、および、ＰＣｅｌｌＳＣＧを提供するセカンダリｅＮｏｄｅＢまたはＳｅＮｏｄｅＢ）によって構成され得る。
【００２２】
[0035]無線デバイスは、１つまたは複数のパラメータに基づいてＰＣＧおよびＳＣＧへの送信の優先順位を設定すべきかどうかを決定し得る。一例において、無線デバイスは、電力が限定されており従って全電力を使用してＰＣＧおよびＳＣＧに送信することができないことに起因してＰＣＧまたはＳＣＧへの同時送信を優先させることを決定し得る。いずれの場合も、送信の優先順位を設定することを決定することは、送信が同様の期間においてスケジューリングされるときにＰＣＧおよびＳＣＧへのランダムアクセスチャネル（ＲＡＣＨ）送信に割り振るための送信電力を決定することを含むことができる。別の例において、送信の優先順位を設定することを決定することは、同様の期間での送信に関してＰＣＧおよびＳＣＧに割り振るための送信電力の割合を決定することを含むことができる。別の例において、送信の優先順位を設定することを決定することは、送信されているチャネルの内容に基づいてＰＣＧおよびＳＣＧに関して同様の期間において送信されるべきトランスポートブロック（ＴＢ）に関するＴＢビットを送信することおよび／またはドロップさせる（ｄｒｏｐ）ことを決定することを含むことができる。
【００２３】
[0036]本明細書において説明される技法は、ＣＤＭＡ、ＴＤＭＡ、ＦＤＭＡ、
ＯＦＤＭＡ、ＳＣ−ＦＤＭＡおよび他のネットワークのような様々な無線通信ネットワークに関して使用され得る。用語「ネットワーク」および「システム」は、互換可能な形でしばしば使用される。ＣＤＭＡネットワークは、ユニバーサル地上無線アクセス（ＵＴＲＡ）、ｃｄｍａ２０００、等のような無線技術を実装し得る。ＵＴＲＡは、ワイドバンドＣＤＭＡ（ＷＣＤＭＡ（登録商標））と、ＣＤＭＡの他の変形と、を含む。ｃｄｍａ２０００は、ＩＳ−２０００、ＩＳ−９５、およびＩＳ−８５６規格を網羅する。ＴＤＭＡネットワークは、グローバル移動通信システム（ＧＳＭ（登録商標））のような無線技術を実装し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭＡ、等のような無線技術を実装し得る。ＵＴＲＡおよびＥ−ＵＴＲＡは、ＵＭＴＳの一部である。３ＧＰＰ（登録商標）  ＬＴＥ（登録商標）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）という名称の団体からの文書において記載される。ｃｄｍａ２０００およびＵＭＢは、「第３世代パートナーシッププロジェクト２」（３ＧＰＰ２）という名称の団体からの文書において記載される。本明細書において説明される技法は、上記の無線ネットワークと無線技術、および、他の無線ネットワークと無線技術に関して使用され得る。明確化のために、技法の幾つかの態様は、以下においてはＬＴＥに関して説明され、以下の説明の多くにおいてＬＴＥ用語が使用される。
【００２４】
[0037]図１は、本開示の様々な態様による、無線通信システム１００の例を概念的に示したブロック図である。無線通信システム１００は、基地局（またはセル）１０５と、ユーザ機器（ＵＥ）１１５と、コアネットワーク１３０と、を含む。基地局１０５は、様々な実施形態におけるコアネットワーク１３０または基地局１０５の一部であり得る基地局コントローラ（示されていない）の制御下でＵＥ１１５と通信し得る。１つまたは複数のＵＥ１１５は、多元接続性無線通信において構成された複数の基地局１０５または関連セルとの通信の優先順位を設定すべきかどうかを決定するための通信コンポーネント６４０を含むことができる。１つまたは複数の基地局１０５は、１つまたは複数の基地局１０５または関連セルと同時に通信するために１つまたは複数のＵＥ１１５に送信電力割合または他のパラメータを提供するための通信コンポーネント１１４０を含むことができる。基地局１０５は、第１のバックホールリンク１３２を通じてコアネットワーク１３０と制御情報および／またはユーザデータを通信し得る。実施形態において、基地局１０５は、直接的にまたは有線または無線通信リンクであり得る第２のバックホールリンク１３４を通じて間接的に互いと通信し得る。無線通信システム１００は、複数のキャリア（異なる周波数の波形信号）における動作をサポートし得る。マルチキャリア送信機は、複数のキャリア上で同時に変調された信号を送信することができる。例えば、各通信リンク１２５は、上述される様々な無線技術により変調されたマルチキャリア信号であり得る。各々の変調された信号は、異なるキャリア上で送信され得、および、制御情報（例えば、基準信号、制御チャネル、等）、オーバーヘッド情報、データ、等を搬送し得る。無線通信システム１００はまた、複数のフローにおける動作を同時にサポートし得る。幾つかの態様において、複数のフローは、複数のワイヤレスワイドエリアネットワーク（ＷＷＡＮ）またはセルラーフローに対応し得る。他の態様において、複数のフローは、ＷＷＡＮまたはセルラーフローとワイヤレスローカルエリアネットワーク（ＷＬＡＮ）またはＷｉ−Ｆｉフローの組み合わせに対応し得る。
【００２５】
[0038]基地局１０５は、１本または複数本の基地局アンテナを介してＵＥ１１５と無線で通信し得る。基地局１０５サイトの各々は、各々の地理上のカバレッジエリア１１０に関する通信カバレッジを提供し得る。幾つかの実施形態において、基地局１０５は、ベーストランシーバ局、無線基地局、アクセスポイント、無線トランシーバ、ベーシックサービスセット（ＢＳＳ）、拡張サービスセット（ＥＳＳ）、ＮｏｄｅＢ、ｅＮｏｄｅＢ、ホームＮｏｄｅＢ、ホームｅＮｏｄｅＢ、または何らかの他の適切な用語と呼ばれ得る。基地局１０５に関する地理上のカバレッジエリア１１０は、カバレッジエリア（示されていない）の一部分のみを成すセクタに分割され得る。無線通信システム１００は、異なるタイプの基地局１０５（例えば、マクロ、マイクロ、および／またはピコ基地局）を含み得る。異なる技術に関して重複するカバレッジエリアが存在し得る。
【００２６】
[0039]実装において、無線通信システム１００は、ＬＴＥ／ＬＴＥ−Ａネットワーク通信システムである。ＬＴＥ／ＬＴＥ−Ａネットワーク通信システムにおいて、用語発展型ノードＢ（ｅＮｏｄｅＢ）は、概して、基地局１０５について説明するために使用され得る。無線通信システム１００は、異なるタイプのｅＮｏｄｅＢが様々な地理上の地域に関するカバレッジを提供するヘテロジェニアスＬＴＥ／ＬＴＥ−Ａネットワークであり得る。例えば、各ｅＮｏｄｅＢは、マクロセル、ピコセル、フェムトセル、および／または他のタイプのセルに関する通信カバレッジを提供し得る。マクロセルは、相対的に大きな地理上のエリア（例えば、半径数キロメートル）を網羅し得、および、ネットワークプロバイダとのサービス加入契約を有するＵＥ１１５による無制限のアクセスを許容し得る。ピコセルは、相対的にそれよりも小さい地理上のエリア（例えば、ビル）を網羅し得、および、ネットワークプロバイダとのサービス加入契約を有するＵＥ１１５による無制限のアクセスを許容し得る。フェムトセルは、相対的に小さい地理上のエリア（例えば、自宅）を網羅し得、および、無制限のアクセスに加えて、フェムトセルとの関連性を有するＵＥ１１５（例えば、クローズド加入者グループ（ＣＳＧ）内のＵＥ１１５、自宅内のユーザのためのＵＥ１１５、および同様の物）による制限されたアクセスも提供し得る。マクロセルに関するｅＮｏｄｅＢ１０５は、マクロｅＮｏｄｅＢと呼ばれ得る。ピコセルに関するｅＮｏｄｅＢ１０５は、ピコｅＮｏｄｅＢと呼ばれ得る。および、フェムトセルに関するｅＮｏｄｅＢ１０５は、フェムトｅＮｏｄｅＢまたはホームｅＮｏｄｅＢと呼ばれ得る。ｅＮｏｄｅＢ１０５は、１つまたは複数（２つ、３つ、４つ、および同様）のセルをサポートし得る。無線通信システム１００は、ＵＥ１１５のうちの１つまたは複数によるＬＴＥおよびＷＬＡＮまたはＷｉ−Ｆｉの使用をサポートし得る。
【００２７】
[0040]コアネットワーク１３０は、第１のバックホールリンク１３２（例えば、Ｓ１インタフェース、等）を介してｅＮｏｄｅＢ１０５または他の基地局１０５と通信し得る。ｅＮｏｄｅＢ１０５はまた、例えば、直接的にまたは（例えば、コアネットワーク１３０を通じて）第２のバックホールリンク１３４（例えば、Ｘ２インタフェース、等）を介しておよび／または第１のバックホールリンク１３２を介して間接的に互いと通信し得る。無線通信システム１００は、同期的または非同期的動作をサポートし得る。同期的動作に関しては、ｅＮｏｄｅＢ１０５は、同様のフレームタイミングを有し得、異なるｅＮｏｄｅＢ１０５からの送信は、時間の点でほぼ整合され得る。非同期的動作に関しては、ｅＮｏｄｅＢ１０５は、異なるフレームタイミングを有し得、異なるｅＮｏｄｅＢ１０５からの送信は、時間的に整合し得ない。本明細書において説明される技法は、同期的動作または非同期的動作のいずれに関しても使用され得る。
【００２８】
ＵＥ１１５は、無線通信システム１００全体にわたって分散され得、各ＵＥ１１５は、静止型または移動型であり得る。ＵＥ１１５はまた、当業者によって、移動局、加入者局、モバイルユニット、加入者ユニット、無線ユニット、遠隔ユニット、モバイルデバイス、無線デバイス、無線通信デバイス、遠隔デバイス、モバイル加入者局、アクセス端末、モバイル端末、無線端末、遠隔端末、ハンドセット、ユーザエージェント、モバイルクライアント、クライアント、または何らかの他の適切な用語と呼ばれ得る。ＵＥ１１５は、携帯電話、携帯情報端末（ＰＤＡ）、無線モデム、無線通信デバイス、ハンドヘルドデバイス、タブレットコンピュータ、ラップトップコンピュータ、コードレスフォン、ワイヤレスローカルループ（ＷＬＬ）局、または同様の物であり得る。ＵＥ１１５は、マクロｅＮｏｄｅＢ、ピコｅＮｏｄｅＢ、フェムトｅＮｏｄｅＢ、リレー、および同様の物と通信することができ得る。
【００２９】
[0042]無線通信システム１００において示される通信リンク１２５は、ＵＥ１１５からｅＮｏｄｅＢ１０５へのアップリンク（ＵＬ）送信、および／または、ｅＮｏｄｅＢ１０５からＵＥ１１５へのダウンリンク（ＤＬ）送信を含み得る。ダウンリンク送信はまた、順方向リンク送信と呼ばれ得、アップリンク送信はまた、逆方向リンク送信と呼ばれ得る。
【００３０】
[0043]無線通信システム１００の幾つかの態様において、ＵＥ１１５は、１つまたは複数のｅＮｏｄｅＢ１０５によって提供される２つ以上のセルとのキャリアアグリゲーション（ＣＡ）または多元接続性無線通信をサポートするように構成され得る。ＣＡ／多元接続性無線通信のために使用されるｅＮｏｄｅＢ１０５は、共配置され得、または、高速接続を通じて接続され得るおよび／または共配置され得ない。いずれの場合も、ＵＥ１１５とｅＮｏｄｅＢ１０５との間での無線通信のためにコンポーネントキャリア（ＣＣ）のアグリゲーションを協調させることは、キャリアアグリゲーションを実行するために使用されている様々なセル間で情報が容易に共有されることができるため、より容易に実行され得る。キャリアアグリゲーションのために使用されるｅＮｏｄｅＢ１０５は、共配置されず（例えば、遠く離れているかまたはそれらの間で高速接続を有さない）、コンポーネントキャリアのアグリゲーションを協調させることは、追加の態様を含み得る。例えば、デュアル接続性（例えば、ＵＥ１１５が２つの共配置されないｅＮｏｄｅＢ１０５に接続される）に関するキャリアアグリゲーションにおいて、ＵＥ１１５は、第１のｅＮｏｄｅＢ１０５（例えば、ＳｅＮｏｄｅＢまたはＳｅＮＢ）のプライマリセルを通じて第１のｅＮｏｄｅＢ１０５と通信するために構成情報を受信し得る。第１のｅＮｏｄｅＢ１０５は、セカンダリセルグループまたはＳＣＧと呼ばれるセルのグループを含み得、それは、第１のｅＮｏｄｅＢ１０５の１つまたは複数のセカンダリセルおよびプライマリセルまたはＰＣｅｌｌＳＣＧを含む。ＵＥ１１５はまた、第２のｅＮｏｄｅＢ１０５（例えば、ＭｅＮｏｄｅＢまたはＭｅＮＢ）の第２のセカンダリセルを通じて第２のｅＮｏｄｅＢ１０５と通信するために構成情報を受信し得る。第２のｅＮｏｄｅＢ１０５は、プライマリセルグループまたはＰＣＧと呼ばれるセルのグループを含み得、それは、第２のｅＮｏｄｅＢ１０５の１つまたは複数のセカンダリセルおよびプライマリセルまたはＰＣｅｌｌを含む。
【００３１】
[0044]無線通信システム１００の幾つかの態様において、デュアル接続性のためのキャリアアグリゲーションは、セカンダリｅＮｏｄｅＢ１０５（例えば、ＳｅＮｏｄｅＢまたはＳｅＮＢ）がＰＣｅｌｌＳＣＧとしてそれのセルのうちの１つを動作させるように構成されることを含み得る。セカンダリｅＮｏｄｅＢ１０５は、ＵＥ１１５がマスタｅＮｏｄｅＢ１０５（例えば、ＭｅＮｏｄｅＢまたはＭｅＮＢ）と通信状態にある間にセカンダリｅＮｏｄｅＢ１０５と通信するためにＵＥ１１５に関するＰＣｅｌｌＳＣＧを通じて構成情報をＵＥ１１５に送信し得る。マスタｅＮｏｄｅＢ１０５は、同じＵＥ１１５に、他方のｅＮｏｄｅＢ１０５と通信するためにそのＵＥ１１５に関するＰＣｅｌｌを介して構成情報を送信し得る。２つのｅＮｏｄｅＢ１０５は、共配置され得ない。
【００３２】
[0045]本明細書で説明される例において、ＵＥ１１５は、同様の期間におけるＰＣＧおよびＳＣＧへの送信の優先順位を設定すべきかどうかを決定するために構成されることができる。例えば、ＵＥ１１５は、電力が限定され得、および、ＵＥ１１５が送信に関するパラメータ、以前の送信、ＰＣＣおよび／またはＳＣＧによって設定されたパラメータ、等に基づいてＰＣＧおよび／またはＳＣＧへの送信に送信リソース（例えば、送信電力）を割り振ることができるように同様の期間におけるＰＣＧおよびＳＣＧへの送信をスケジューリングし得る。例えば、これは、ＳＣＧとの進行中のＲＡＣＨプロシージャに少なくとも部分的に基づいてＰＣＧとのＲＡＣＨプロシージャでＲＡＣＨ信号を送信することおよび／またはその逆を含み得る。別の例において、送信の優先順位を設定することは、ＰＣＧとの送信に送信電力のある割合を割り振り、ＳＣＧとの送信に送信電力の残りのまたは別の割合を割り振ることを含み得る。これは、一例においては、ＰＣＧおよび／またはＳＣＧによって設定された割合に基づくことができる。さらなる例において、送信の優先順位を設定することは、チャネルの内容に少なくとも部分的に基づいてＰＣＧまたはＳＣＧとの１つまたは複数のチャネルを通じてＴＢビットを送信すべきかまたはブロックすべきかを決定することを含むことができる。例えば、制御および無線リソース制御（ＲＲＣ）通信に関連するＴＢビットは、（例えば、ドロップされ得る）他の通信を通じて送信され得る。
【００３３】
[0046]図２は、本開示の態様により構成されたｅＮｏｄｅＢ２１０およびＵＥ２５０の例を概念的に示したブロック図である。例えば、図２において示されるシステム２００のｅＮｏｄｅＢ２１０およびＵＥ２５０は、それぞれ、図１のｅＮｏｄｅＢのうちの１つおよびＵＥのうちの１つであり得る。従って、例えば、ＵＥ２５０は、多元接続性無線通信において構成された複数のｅＮｏｄｅＢ２１０または関連セルとの通信の優先順位を設定すべきかどうかを決定するための通信コンポーネント６４０を含むことができる。ｅＮｏｄｅＢ２１０は、ｅＮｏｄｅＢ２１０および別のｅＮｏｄｅＢまたは関連セルと同時に通信するために１つまたは複数のＵＥ２５０に送信電力割合または他のパラメータを提供するための通信コンポーネント１１４０を含むことができる。幾つかの態様において、ｅＮｏｄｅＢ２１０は、多元接続性（例えば、デュアル接続性）、キャリアアグリゲーション、等をサポートし得る。ｅＮｏｄｅＢ２１０は、ＰＣｅｌｌＰＣＧとして構成されたそれのＰＣＧ内のセルのうちの１つを有するＭｅＮｏｄｅＢまたはＭｅＮＢまたはＰＣｅｌｌＳＣＧとして構成されたそれのＳＣＧ内のセルのうちの１つを有するＳｅＮｏｄｅＢまたはＳｅＮＢであり得る。幾つかの態様において、ＵＥ２５０はまた、多元接続性キャリアアグリゲーションをサポートし得る。ＵＥ２５０は、ＰＣｅｌｌＰＣＧおよび／またはＰＣｅｌｌＳＣＧを介してｅＮｏｄｅＢ２１０から構成情報を受信し得る。ｅＮｏｄｅＢ２１０は、アンテナ２３４１−ｔが装備され得、ＵＥ２５０は、アンテナ２５２１−ｒが装備され得、ここにおいて、ｔおよびｒは、１よりも大きいかまたは１に等しい整数である。
【００３４】
[0047]ｅＮｏｄｅＢ２１０において、ｅＮｏｄｅＢ送信プロセッサ２２０は、ｅＮｏｄｅＢデータソース２１２からデータをおよびｅＮｏｄｅＢコントローラ／プロセッサ２４０から制御情報を受信し得る。制御情報は、ＰＢＣＨ、ＰＣＦＩＣＨ、物理ハイブリッド自動再送／要求（ＨＡＲＱ）インジケータチャネル（ＰＨＩＣＨ）、ＰＤＣＣＨ、等上で搬送され得る。データは、ＰＤＳＣＨ、等上で搬送され得る。ｅＮｏｄｅＢ送信プロセッサ２２０は、データシンボルおよび制御シンボルをそれぞれ得るためにデータおよび制御情報を処理（例えば、符号化およびシンボルマッピング）し得る。ｅＮｏｄｅＢ送信プロセッサ２２０はまた、例えば、ＰＳＳ、ＳＳＳ、およびセル固有の基準信号（ＲＳ）に関する基準シンボルを生成し得る。ｅＮｏｄｅＢ送信（ＴＸ）多入力多出力（ＭＩＭＯ）プロセッサ２３０は、該当する場合は、データシンボル、制御シンボル、および／または基準シンボルに関して空間処理（例えば、プリコーディング）を実行し得、および、ｅＮｏｄｅＢ変調器／復調器（ＭＯＤ／ＤＥＭＯＤ）２３２１−ｔに出力シンボルストリームを提供し得る。各ｅＮｏｄｅＢ変調器／復調器２３２は、出力サンプルストリームを得るために（例えば、ＯＦＤＭ、等に関して）各々の出力シンボルストリームを処理し得る。各ｅＮｏｄｅＢ変調器／復調器２３２は、ダウンリンク信号を得るために出力サンプルストリームをさらに処理し得る（例えば、アナログの変換、増幅、フィルタリング、およびアップコンバージョン）。変調器／復調器２３２１−ｔからのダウンリンク信号は、アンテナ２３４１−ｔをそれぞれ介して送信され得る。
【００３５】
[0048]ＵＥ２５０において、ＵＥアンテナ２５２１−ｒは、ｅＮｏｄｅＢ２１０からダウンリンク信号を受信し得、および、ＵＥ変調器／復調器（ＭＯＤ／ＤＥＭＯＤ）２５４１−ｒに受信された信号をそれぞれ提供し得る。各ＵＥ変調器／復調器２５４は、入力サンプルを得るために各々の受信された信号をコンディショニング（例えば、フィルタリング、増幅、ダウンコンバート、およびデジタル化）し得る。各ＵＥ変調器／復調器２５４は、受信されたシンボルを得るために（例えば、ＯＦＤＭ、等に関して）入力サンプルをさらに処理し得る。ＵＥ  ＭＩＭＯ検出器２５６は、すべての変調器／復調器２５４１−ｒから受信されたシンボルを得、該当する場合は受信されたシンボルに関してＭＩＭＯ検出を実行し、検出されたシンボルを提供し得る。ＵＥ受信プロセッサ２５８は、検出されたシンボルを処理（例えば、復調、デインターリーブ、および復号）し、ＵＥデータシンク２６０にＵＥ２５０に関する復号されたデータを提供し、ＵＥコントローラ／プロセッサ２８０に復号された制御情報を提供し得る。
【００３６】
[0049]アップリンク上で、ＵＥ２５０において、ＵＥ送信プロセッサ２６４は、ＵＥデータソース２６２から（例えば、ＰＵＳＣＨに関する）データをおよびＵＥコントローラ／プロセッサ２８０から（例えば、ＰＵＣＣＨに関する）制御情報を受信および処理し得る。ＵＥ送信プロセッサ２６４はまた、基準信号に関する基準シンボルを生成し得る。ＵＥ送信プロセッサ２６４からのシンボルは、該当する場合はＵＥ  ＴＸ  ＭＩＭＯプロセッサ２６６によってプリコーディングされ、（例えば、ＳＣ−ＦＤＭ、等に関して）ＵＥ変調器／復調器２５４１−ｒによってさらに処理され、ｅＮｏｄｅＢ２１０に送信され得る。ｅＮｏｄｅＢ２１０において、ＵＥ２５０からのアップリンク信号は、ＵＥ２５０によって送信された復号されたデータおよび制御情報を得るために、ｅＮｏｄｅＢアンテナ２３４によって受信され、ｅＮｏｄｅＢ変調器／復調器２３２によって処理され、該当する場合はｅＮｏｄｅＢ  ＭＩＭＯ検出器２３６によって検出され、ｅＮｏｄｅＢ受信プロセッサ２３８によってさらに処理され得る。ｅＮｏｄｅＢ受信プロセッサ２３８は、ｅＮｏｄｅＢデータシンク２４６に復号されたデータをおよびｅＮｏｄｅＢコントローラ／プロセッサ２４０に復号された制御情報を提供し得る。
【００３７】
[0050]ｅＮｏｄｅＢコントローラ／プロセッサ２４０およびＵＥコントローラ／プロセッサ２８０は、ｅＮｏｄｅＢ２１０およびＵＥ２５０での動作をそれぞれ指示し得る。ＵＥコントローラ／プロセッサ２８０および／またはＵＥ２５０における他のプロセッサおよびモジュールはまた、図６および／または図１１において示される機能ブロック、および／または、本明細書において説明される技法に関する他のプロセス（例えば、図７、図８、図９、図１０、図１２、等において示されるフローチャート）の実行を行い得るまたは実行を指示し得る。幾つかの態様において、これらの機能ブロックおよび／またはプロセスの実行の少なくとも一部分は、ＵＥコントローラ／プロセッサ２８０内のブロック２８１によって行われ得る。ｅＮｏｄｅＢメモリ２４２およびＵＥメモリ２８２は、ｅＮｏｄｅＢ２１０およびＵＥ２５０に関するデータおよびプログラムコードをそれぞれ格納し得る。例えば、ＵＥメモリ２８２は、ｅＮｏｄｅＢ２１０および／または別のｅＮｏｄｅＢによって提供される多元接続性のための構成情報を格納し得る。ダウンリンクおよび／またはアップリンク上でのデータ送信のためにＵＥ２５０をスケジューリングするためにスケジューラ２４４が使用され得る。
【００３８】
[0051]一構成において、ＵＥ２５０は、第１のセルグループ内の第１のプライマリセルと第１の接続を確立しおよび第２のセルグループ内の第２のプライマリセルと第２の接続を確立するための手段、第１の接続を通じての第１の通信または第２の接続を通じての第２の通信のいずれを優先すべきかを決定するための手段、ここにおいて、第１の通信および第２の通信は、同時送信のためにスケジューリングされる、および／または、第１の通信または第２の通信のいずれを優先すべきかを決定するための手段に少なくとも部分的に基づいて送信時間間隔（ＴＴＩ）において第１の接続を通じての第１の通信または第２の接続を通じての第２の通信のうちの少なくとも１つを送信するための手段を含み得る。一態様において、上記の手段は、上記の手段によって表される機能を実行するように構成されたＵＥコントローラ／プロセッサ２８０、ＵＥメモリ２８２、ＵＥ受信プロセッサ２５８、ＵＥ  ＭＩＭＯ検出器２５６、ＵＥ変調器／復調器２５４、および／またはＵＥアンテナ２５２であり得、または、それらを含み得る。別の態様において、上記の手段は、上記の手段によって表される機能を実行するように構成されたモジュール、コンポーネント、またはいずれかの装置であることができる。そのようなモジュール、コンポーネント、または装置の例は、図６および／または図１１に関して説明され得る。
【００３９】
[0052]別の構成において、ｅＮｏｄｅＢ２１０は、ユーザ機器（ＵＥ）との第１の接続のための第１の送信電力割り振りを決定するための手段と、ＵＥとセカンダリセルとの間の第２の接続のための第２の送信電力割り振りを決定するための手段と、ＵＥに第１の送信電力割り振りおよび第２の送信電力割り振りを送信するための手段と、を含み得る。一態様において、上記の手段は、上記の手段によって表される機能を実行するように構成されたｅＮｏｄｅＢコントローラ／プロセッサ２４０、ｅＮｏｄｅＢメモリ２４２、ｅＮｏｄｅＢ受信プロセッサ２３８、ｅＮｏｄｅＢ  ＭＩＭＯ検出器２３６、ｅＮｏｄｅＢ変調器／復調器２３２、および／またはｅＮｏｄｅＢアンテナ２３４であり得、または、それらを含み得る。別の態様において、上記の手段は、上記の手段によって表される機能を実行するように構成されたモジュール、コンポーネント、またはいずれかの装置であることができる。そのようなモジュール、コンポーネント、または装置の例は、図６および／または図１１に関して説明され得る。
【００４０】
[0053]図３は、本開示の態様による、ＵＥにおけるキャリアのアグリゲーションおよび／または接続を概念的に示したブロック図である。アグリゲーションは、１つまたは複数のコンポーネントキャリア１乃至Ｎ（ＣＣ１乃至ＣＣＮ）を使用してｅＮｏｄｅＢ３０５−ａと、および／または、１つまたは複数のコンポーネントキャリアＭ乃至Ｐ（ＣＣＭ乃至ＣＣＰ）を使用してセカンダリｅＮｏｄｅＢ３０５−ｂと通信することができるマルチモードＵＥ３１５を含むシステム３００内において生じ得る。例えば、ｅＮｏｄｅＢ３０５−ａおよび／またはセカンダリｅＮｏｄｅＢ３０５−ｂは、ＡＰと、フェムトセルと、ピコセルと、等を含み得る。ＵＥ３１５は、多元無線接続性無線通信において構成された複数のｅＮｏｄｅＢ３０５−ａ／３０５−ｂとの通信または関連セルとの通信のいずれを優先すべきかを決定するための通信コンポーネント６４０を含むことができる。ｅＮｏｄｅＢ３０５−ａ（および／またはｅＮｏｄｅＢ３０５−ｂ）は、ｅＮｏｄｅＢ３０５−ａ（および／または３０５−ｂ）または別のｅＮｏｄｅＢ３０５−ｂ（および／または３０５−ａ）または関連セルと同時に通信するために１つまたは複数のＵＥ３１５に送信電力割合または他のパラメータを提供するための通信コンポーネント１１４０を含むことができる。ＵＥ３１５は、この例では、２つ以上の無線アクセス技術（ＲＡＴ）をサポートするマルチモードＵＥであり得る。例えば、ＵＥ３１５は、少なくともＷＷＡＮ無線アクセス技術（例えば、ＬＴＥ）および／またはＷＬＡＮ無線アクセス技術（例えば、Ｗｉ−Ｆｉ）をサポートし得る。マルチモードＵＥはまた、本明細書において説明されているように、キャリアアグリゲーションおよび／または多元接続性キャリアアグリゲーションをサポートし得る。ＵＥ３１５は、図１、図２、図４、図５、図６、図１１のＵＥのうちの１つの一例であり得る。ｅＮｏｄｅＢ３０５−ａおよび／またはセカンダリｅＮｏｄｅＢ３０５−ｂは、図１、図２、図４、図５、図６、図１１のｅＮｏｄｅＢ、基地局、ネットワークエンティティ、等のうちの１つの一例であり得る。図３では１つのＵＥ３１５、１つのｅＮｏｄｅＢ３０５−ａ、および１つのセカンダリｅＮｏｄｅＢ３０５−ｂのみが示されるが、システム３００は、任意の数のＵＥ３１５、ｅＮｏｄｅＢ３０５−ａ、および／またはセカンダリｅＮｏｄｅＢ３０５−ｂを含むことができることが認識されるであろう。１つの具体例では、ＵＥ３１５は、別の１つまたは複数のＬＴＥコンポーネントキャリア３３０−Ｍ乃至３３０−Ｐを通じて別のｅＮｏｄｅＢ３０６−ｂと通信しつつ１つまたは複数のＬＴＥコンポーネントキャリア３３０−１乃至３３０−Ｎを通じて１つのｅＮｏｄｅＢ３０５−ａと通信することができる。
【００４１】
[0054]ｅＮｏｄｅＢ３０５−ａは、ＬＴＥコンポーネントキャリアＣＣ１乃至ＣＣＮ３３０上で順方向（ダウンリンク）チャネル３３２−１乃至３３２−Ｎを通じてＵＥ３１５に情報を送信することができる。さらに、ＵＥ３１５は、ＬＴＥコンポーネントキャリアＣＣ１乃至ＣＣＮ上で逆方向（アップリンク）チャネル３３４−１乃至３３４−Ｎを通じてｅＮｏｄｅＢ３０５−ａに情報を送信することができる。同様に、ｅＮｏｄｅＢ３０５−ｂは、ＬＴＥコンポーネントキャリアＣＣＭ乃至ＣＣＰ３３０上で順方向（ダウンリンク）チャネル３３２−ｍ乃至３３２−ｐを通じてＵＥ３１５に情報を送信し得る。さらに、ＵＥ３１５は、ＬＴＥコンポーネントキャリアＣＣＭ乃至ＣＣＰ３３０上で逆方向（アップリンク）チャネル３３４−ｍ乃至３３４−ｐを通じてｅＮｏｄｅＢ３０５−ｂに情報を送信し得る。
【００４２】
[0055]図３、および、開示された実施形態の一部に関連する他の図の様々なエンティティについて説明する際に、説明する目的上、３ＧＰＰ  ＬＴＥまたはＬＴＥ−Ａ無線ネットワークに関連する用語が使用される。しかしながら、システム３００は、ＯＦＤＭＡ無線ネットワーク、ＣＤＭＡネットワーク、３ＧＰＰ２  ＣＤＭＡ２０００ネットワークおよび同様の物のような他のネットワーク、ただしそれらに限定されない、において動作することができることが認識されるべきである。
【００４３】
[0056]マルチキャリア動作において、異なるＵＥ３１５に関連するダウンリンク制御情報（ＤＣＩ）メッセージは、複数のコンポーネントキャリア上で搬送されることができる。例えば、ＰＤＣＣＨ上のＤＣＩは、物理ダウンリンク共有チャネル（ＰＤＳＣＨ）送信のためにＵＥ３１５によって使用されるように構成される同じコンポーネントキャリア上に含められることができる（すなわち、同じキャリアのシグナリング）。代替として、またはさらに加えて、ＤＣＩは、ＰＤＳＣＨ送信のために使用されるターゲットコンポーネントキャリアと異なるコンポーネントキャリア上で搬送され得る（すなわち、クロスキャリアシグナリング）。幾つかの実装において、ＰＤＳＣＨ送信（クロスキャリアシグナリング）のためのターゲットキャリア以外のキャリアからのＰＤＣＣＨ制御シグナリングの送信を容易にするために、半静的にイネーブルされ得るキャリアインジケータフィールド（ＣＩＦ）が幾つかのまたはすべてのＤＣＩフォーマット内に含められ得る。
【００４４】
[0057]本例において、ＵＥ３１５は、１つのｅＮｏｄｅＢ３０５−ａからデータを受信し得る。しかしながら、セル縁部に存在するユーザは、データレートを制限し得る高いセル間干渉を経験することがある。マルチフローは、ＵＥが２つのｅＮｏｄｅＢ３０５−ａおよび３０５−ｂから同時にデータを受信するのを可能にする。幾つかの態様において、２つのｅＮｏｄｅＢ３０５−ａは、非共配置され得、および、多元接続性キャリアアグリゲーションをサポートするように構成され得る。マルチフローは、ＵＥが同時に２つの隣接するセル内の２つのセルタワーの範囲内に存在するときに２つの完全に分離されたストリームで２つのｅＮｏｄｅＢ３０５−ａ／３０５−ｂからデータを送信するおよび受信することによって機能する（以下の図５を参照）。ＵＥは、デバイスがいずれかのｅＮｏｄｅＢの範囲の縁部上に存在するときには同時に２つのｅＮｏｄｅＢ３０５−ａ／３０５−ｂに話しかける。２つの異なるｅＮｏｄｅＢからモバイルデバイスへの２つの独立したデータストリームを同時にスケジューリングすることによって、マルチフローは、無線通信ネットワークにおける不均等なローディングを利用する。これは、ネットワーク容量を増大させつつセル縁部でのユーザの経験を向上させるのに役立つ。一例において、セル縁部におけるユーザに関するスループットデータ速度が倍増し得る。幾つかの態様において、マルチフローはまた、あるＵＥがＷＷＡＮタワー（例えば、セルラータワー）およびＷＬＡＮタワー（例えば、ＡＰ）の両方のタワーの範囲内にあるときにそのＵＥが同時に両方のタワーに話しかけることができる能力を意味し得る。そのような場合、タワーは、タワーが共配置されていないときに複数の接続を通じてのキャリアアグリゲーションをサポートするように構成され得る。図４は、本開示の態様によるＵＥ４１５とＰＤＮ４４０（例えば、インターネットまたはインターネットにアクセスするための１つまたは複数のコンポーネント）との間のデータ経路４４５および４５０の例を概念的に示したブロック図である。データ経路４４５、４５０は、同じＲＡＴを使用し得るまたは使用し得ない異なるｅＮｏｄｅＢ４０５−ａおよび４０６−ｂからのデータをアグリゲートするための無線通信システム４００に関して示されている。図２のシステム２００は、無線通信システム４００の一部分の例であり得る。無線通信システム４００は、マルチモードＵＥ４１５と、ｅＮｏｄｅＢ４０５−ａと、（例えば、Ｘ２インタフェースに基づいて）バックホールリンク４３８を介してｅＮｏｄｅＢ４０５−ａに結合されることができるセカンダリｅＮｏｄｅＢ４０５−ｂと、発展型パケットコア（ＥＰＣ）４８０と、ＰＤＮ４４０と、ピアエンティティ４５５と、を含み得る。ＵＥ４１５は、多元接続性無線通信において構成された複数のｅＮｏｄｅＢ４０５−ａ／４０５−ｂとの通信または関連セルとの通信のいずれを優先させるべきかを決定するための通信コンポーネント６４０を含むことができる。ｅＮｏｄｅＢ４０５−ａ（および／またはｅＮｏｄｅＢ４０５−ｂ）は、ｅＮｏｄｅＢ４０５−ａ（および／または４０５−ｂ）および別のｅＮｏｄｅＢ４０５−ａ（および／または４０５−ｂ）または関連セルと同時に通信するために１つまたは複数のＵＥ４１５に送信電力割合または他のパラメータを提供するための通信コンポーネント１１４０を含むことができる。マルチモードＵＥ４１５は、キャリアアグリゲーション、多元接続性（例えば、デュアル接続性）キャリアアグリゲーション、および／または同様の物をサポートするように構成され得る。ＥＰＣ４８０は、モビリティ管理エンティティ（ＭＭＥ）４３０と、サービングゲートウェイ（ＳＧＷ）４３２と、ＰＤＮゲートウェイ（ＰＧＷ）４３４と、を含み得る。ホーム加入者システム（ＨＳＳ）４３５は、ＭＭＥ４３０と通信可能な形で結合され得る。ＵＥ４１５は、ＬＴＥ無線装置４２０と、ＬＴＥ無線装置４２５と、を含み得る。これらの要素は、以前のまたは後続する図に関連して上述されるそれらの相手の物のうちの１つまたは複数の態様を表し得る。例えば、ＵＥ４１５は、図１、図２、図３、図５、図６、図１１のＵＥの例であり得、ｅＮｏｄｅＢ４０５−ａは、図１、図２、図３、図５、図６、図１１のｅＮｏｄｅＢ／基地局／ネットワークエンティティの例であり得、ｅＮｏｄｅＢ４０５−ｂは、図１、図２、図３、図５、図６、図１１のセカンダリｅＮｏｄｅＢ／基地局／ネットワークエンティティの例であり得、および／または、ＥＰＣ４８０は、図１のコアネットワーク１３０の例であり得る。図４のｅＮｏｄｅＢ４０５−ａおよび４０５−ｂは、共配置され得ず、または、そうでない場合は、互いと高速通信状態にあり得ない。さらに、一例において、ｅＮｏｄｅＢ４０５および４０５−ｂは、異なるＥＰＣ４８０と通信し得る。
【００４５】
[0058]図４に戻り、ｅＮｏｄｅＢ４０５−ａおよび／または４０５−ｂは、（例えば、１つまたは複数のｅＮｏｄｅＢとの）１つまたは複数のＬＴＥコンポーネントキャリアのアグリゲーションを使用してＰＤＮ４４０へのアクセスをＵＥ４１５に提供することが可能であり得る。従って、ＵＥ４１５は、デュアル接続性におけるキャリアアグリゲーションを含み得、ここで、１方の接続は、１つのネットワークエンティティ（ｅＮｏｄｅＢ４０５−ａ）への接続であり、他方の接続は、異なるネットワークエンティティ（ｅＮｏｄｅＢ４０５−ｂ）への接続である。ＵＥ４１５は、複数のｅＮｏｄｅＢとの多元接続性無線通信、ｅＮｏｄｅＢの複数のセルとのキャリアアグリゲーション、等を提供するためにＰＤＮ４４０にアクセスするためにＥＰＣ４０８を横切るまたは横切らない追加のデータ経路４４５、４５０を介して追加のｅＮｏｄｅＢ４０５−ａおよび／または４０５−ｂと通信することができることが認識されるべきである。ＰＤＮ４４０へのこのアクセスを使用することで、ＵＥ４１５は、ピアエンティティ４５５と通信し得る。ｅＮｏｄｅＢ４０５および／または４０５−ｂは、ＥＰＣ４８０を通じて（例えば、データ経路４４５を通じて）ＰＤＮ４４０へのアクセスを提供し得、ｅＮｏｄｅＢ４０５−ｂは、（例えば、データ経路４５０を通じて）ＰＤＮ４４０への直接アクセスを提供し得る。描かれた例において、ＵＥ４１５は、ｅＮｏｄｅＢ固有のベアラを通じてＭｅＮｏｄｅＢとしてのｅＮｏｄｅＢ４０５およびＳｅＮｏｄｅＢとしてのｅＮｏｄｅＢ４０５−ｂと通信することができる。一例において、ｅＮｏｄｅＢ４０５および４０５−ｂは、ＥＰＣ４８０を提供するためにＵＥ４１５通信をアグリゲートするためにＸ２接続４３８を通じて互いと通信することができる。この例において、ＵＥ４１５は、ｅＮｏｄｅＢ４０５および／またはセカンダリｅＮｏｄｅＢ４０５−ｂとベアラを使用することによってＰＤＮ４４０にアクセスすることができ、それは、ＰＤＮ４４０にアクセスするためにデータ経路４４５および４５０を通じての通信をマッピングすることができる。
【００４６】
[0059]ＭＭＥ４３０は、ＵＥ４１５とＥＰＣ４８０との間でのシグナリングを処理する制御ノードであり得る。ＭＭＥ４３０は、ベアラおよび接続管理を提供し得る。従って、ＭＭＥ４３０は、アイドルモードＵＥトラッキングとページング、ベアラアクティベーションとデアクティベーション、およびＵＥ４１５に関するＳＧＷ選択を担い得る。ＭＭＥ４３０は、Ｓ１−ＭＭＥインタフェースを通じてｅＮｏｄｅＢ４０５−ａおよび／または４０５−ｂと通信し得る。ＭＭＥ４３０は、ＵＥ４１５さらに認証し、ＵＥ４１５との非アクセス層（ＮＡＳ）シグナリングを実装し得る。
【００４７】
[0060]ＨＳＳ４３５は、とりわけ、加入者データを格納し、ローミングに関する制限事項を管理し、加入者に関するアクセス可能なアクセスポイント名（ＡＰＮ）を管理し、および、加入者をＭＭＥ４３０と関連させ得る。ＨＳＳ４３５は、３ＧＰＰ団体によって標準化された発展型パケットシステム（ＥＰＳ）アーキテクチャによって定義されたＳ６ａインタフェースを通じてＭＭＥ４３０と通信し得る。
【００４８】
[0061]ＬＴＥを通じて送信されたすべてのユーザＩＰパケットは、ｅＮｏｄｅＢ４０５−ａおよび／または４０５−ｂを通じてＳＧＷ４３２に転送され得、それは、Ｓ５シグナリングインタフェースを通じてＰＤＮゲートウェイ４３４におよびＳ１１シグナリングインタフェースを通じてＭＭＥ４３０に接続され得る。ＳＧＷ４３２は、ユーザプレーン内に常在し、ｅＮｏｄｅＢ間ハンドオーバーおよび異なるアクセス技術間でのハンドオーバーのためのモビリティアンカーとして動作し得る。ＰＤＮゲートウェイ４３４は、ＵＥ  ＩＰアドレス割り振りおよび他の機能を提供し得る。
【００４９】
[0062]ＰＤＮゲートウェイ４３４は、ＳＧｉシグナリングインタフェースを通じてＰＤＮ４４０のような１つまたは複数の外部のパケットデータネットワークに接続性を提供し得る。ＰＤＮ４４０は、インターネット、イントラネット、ＩＰマルチメディアサブシステム（ＩＭＳ）、パケット交換（ＰＳ）ストリーミングサービス（ＰＳＳ）、および／または他のタイプのＰＤＮを含み得る。
【００５０】
[0063]本例において、ＵＥ４１５とＥＰＣ４８０との間でのユーザプレーンデータは、トラフィックがＬＴＥリンクのデータ経路４４５またはデータ経路４５０のいずれを通じて流れるかにかかわらず、１つまたは複数のＥＰＳベアラの同じ組を横切り得る。１つまたは複数のＥＰＳベアラの組に関連するシグナリングまたは制御プレーンデータは、ｅＮｏｄｅＢ４０５−ａおよび／または４０５−ｂを通じて、ＵＥ４１５のＬＴＥ無線装置４２０とＥＰＣ４８０のＭＭＥ４３０との間で送信され得る。
【００５１】
[0064]図４の態様は、ＬＴＥに関して説明されたが、アグリゲーションおよび／または複数の接続に関する同様の態様も、ＵＭＴＳまたは他の同様のシステムまたはネットワーク無線通信無線技術に関して実装され得る。
【００５２】
[0065]図５は、本開示の態様による、多元接続性キャリアアグリゲーションを概念的に示した概略図である。無線通信システム５００は、ＵＥ５１５にサービスを提供するように構成され得るＰＣＧと呼ばれるセルの組またはグループを有するマスタｅＮｏｄｅＢ５０５−ａ（ＭｅＮｏｄｅＢまたはＭｅＮＢ）を含み得る。ＰＣＧは、１つのプライマリセル（ＰＣｅｌｌＰＣＧ）５１０−ａと、１つまたは複数のセカンダリセル５１０−ｂ（１つのみが示される）と、を含み得る。無線通信システム５００はまた、ＵＥ５１５にサービスを提供するように構成され得るセカンダリセルグループまたはＳＣＧと呼ばれるセルの組またはグループを有するセカンダリｅＮｏｄｅＢ５０５−ｂ（ＳｅＮｏｄｅＢまたはＳｅＮＢ）を含み得る。ＳＣＧは、１つのプライマリセル（ＰＣｅｌｌＳＣＧ）５１２−ａと、１つまたは複数のセカンダリセル５１０−ｂ（１つのみが示される）とを含み得る。多元接続性無線通信（例えば、デュアル接続性）に関するキャリアアグリゲーションをサポートするＵＥ５１５も示される。ＵＥ５１５は、通信リンク５２５−ａを介して、ＭｅＮｏｄｅＢ５０５−ａ、または関連するＰＣｅｌｌＰＣＧと、および、通信リンク５２５−ｂを介して、ＳｅＮｏｄｅＢ５０５−ｂ、または関連するＰＣｅｌｌＳＣＧと、通信し得る。ＵＥ５１５は、多元接続性無線通信において構成された複数のｅＮｏｄｅＢ５０５−ａ／５０５−ｂまたは関連セルのいずれとの通信を優先させるべきかを決定するための通信コンポーネント６４０を含むことができる。ｅＮｏｄｅＢ５０５−ａ（および／またはｅＮｏｄｅＢ５０５−ｂ）は、ｅＮｏｄｅＢ５０５−ａ（および／または５０５−ｂ）および別のｅＮｏｄｅＢ５０５−ｂ（および／または５０５−ａ）または関連セルと同時に通信するために１つまたは複数のＵＥ５１５に送信電力割合または他のパラメータを提供するための通信コンポーネント１１４０を含むことができる。
【００５３】
[0066]一例において、ＵＥ５１５は、同じｅＮｏｄｅＢからのコンポーネントキャリアをアグリゲートし得、または、共配置されたまたは共配置されていないｅＮｏｄｅＢからのコンポーネントキャリアをアグリゲートし得る。そのような例において、使用されている様々なセル（例えば、異なるコンポーネントキャリア（ＣＣ））は、同じｅＮｏｄｅＢによってまたは制御情報を通信することができるｅＮｏｄｅＢによって処理されるため、容易に調整されることができる。ＵＥ５１５が、図５の例におけるように、共配置されていない２つのｅＮｏｄｅＢと通信しているときにキャリアアグリゲーションを実行するときには、キャリアアグリゲーション動作は、様々なネットワーク状態に起因して異なり得る。この場合は、セカンダリｅＮｏｄｅＢ５０５−ｂにおいてプライマリセル（ＰＣｅｌｌＳＣＧ）を確立することは、セカンダリｅＮｏｄｅＢ５０５−ｂがマスタｅＮｏｄｅＢ５０５−ａと共配置されていない場合でも適切な構成および制御がＵＥ５１５において生じるのを可能にし得る。
【００５４】
[0067]図５の例において、キャリアアグリゲーションは、ＭｅＮｏｄｅＢ５０５−ａのＰＣｅｌｌＰＣＧによる幾つかの機能を含み得る。例えば、ＰＣｅｌｌＰＣＧは、幾つかの例を挙げると、物理アップリンク制御チャネル（ＰＵＣＣＨ）、コンテンションをベースにしたランダムアクセス制御チャネル（ＲＡＣＨ）、および半永続的なスケジューリングのような幾つかの機能を処理し得る。共配置されていないｅＮｏｄｅＢへのデュアルまたは多元接続性無線通信によるキャリアアグリゲーションは、そうでない場合にキャリアアグリゲーションが実行される方法に対して幾つかの拡張および／または変更を行わなければならないことを含み得る。それらの拡張および／または変更のうちの一部は、上述されるように、ＭｅＮｏｄｅＢ５０５−ａにおよびＳｅＮｏｄｅＢ５０５−ｂにＵＥ５１５に接続させることを含み得る。他の特徴は、例えば、タイマ調整グループ（ＴＡＧ）がｅＮｏｄｅＢのうちの１つのセルを備えることと、コンテンションをベースにしたおよびコンテンションのないランダムアクセス（ＲＡ）をＳｅＮｏｄｅＢ５０５−ｂにおいて許容することと、ＭｅＮｏｄｅＢ５０５−ａにおよびＳｅＮｏｄｅＢ５０５−ｂに関する別々の不連続的受信（ＤＲＸ）プロシージャと、１つまたは複数のベアラ（例えば、ｅＮｏｄｅＢに固有のベアラまたはスプリットベアラ）にサービスが提供される場合にｅＮｏｄｅＢにバッファ状態レポート（ＢＳＲ）を送信することをＵＥ５１５に行わせることと、電力ヘッドルームリポート（ＰＨＲ）、電力制御、半永続的スケジューリング（ＳＰＳ）、およびセカンダリｅＮｏｄｅＢ５０５−ｂ内のＰＣｅｌｌＳＣＧに関連した論理的チャネル優先順位設定のうちの１つまたは複数をイネーブルにすることと、を含み得る。上述される拡張および／または変更は、本開示において提供されるその他と同様に、例示することを目的としており、限定することは意図されない。
【００５５】
[0068]デュアル接続性におけるキャリアアグリゲーションに関して、ＭｅＮｏｄｅＢ５０５−ａとＳｅＮｏｄｅＢ５０５−ｂとの間で異なる機能が分割され得る。例えば、１つまたは複数のネットワークパラメータに基づいてＭｅＮｏｄｅＢ５０５−ａとＳｅＮｏｄｅＢ５０５−ｂとの間で異なる機能が静的に分割され得、または、ＭｅＮｏｄｅＢ５０５−ａとＳｅＮｏｄｅＢ５０５−ｂとの間で異なる機能が動的に分割され得る。一例において、ＭｅＮｏｄｅＢ５０５−ａは、初期構成、セキュリティ、システム情報、および／または無線リンク障害（ＲＬＦ）に関する機能のような、ただしそれに限定されない、上層（例えば、メディアアクセス制御（ＭＡＣ）層の上方）機能を、ＰＣｅｌｌＰＣＧを介して実行し得る。図５の例において説明されるように、ＰＣｅｌｌＰＣＧは、ＰＣＧに属するＭｅＮｏｄｅＢ５０５−ａのセルのうちの１つとして構成され得る。ＰＣｅｌｌＰＣＧは、ＰＣＧ内の下層機能（例えば、ＭＡＣ／ＰＨＹ層）を提供するように構成され得る。
【００５６】
[0069]一例において、ＳｅＮｏｄｅＢ５０５−ｂは、ＳＣＧに関する下層機能（例えば、ＭＡＣ／ＰＨＹ層）の構成情報を提供し得る。構成情報は、例えば、１つまたは複数の無線リソース制御（ＲＲＣ）メッセージとしてＰＣｅｌｌＳＣＧによって提供され得る。ＰＣｅｌｌＳＣＧは、ＳＣＧ内のセルの中で最も低いセルインデックス（例えば、識別子またはＩＤ）を有するように構成され得る。例えば、ＰＣｅｌｌＳＣＧを介してＳｅＮｏｄｅＢ５０５−ｂによって実行される機能のうちの一部は、ＰＵＣＣＨを搬送することと、ＰＣｅｌｌＳＣＧのＤＲＸ構成に従うためにＳＣＧ内のセルを構成することと、ＳｅＮｏｄｅＢ５０５−ｂにおいてコンテンションをベースにしたおよびコンテンションのないランダムアクセスのためのリソースを構成することと、ＰＵＣＣＨに関する送信電力制御（ＴＰＣ）コマンドを有するダウンリンク（ＤＬ）許可（ｇｒａｎｔ）を搬送することと、ＳＣＧ内の他のセルに関してＰＣｅｌｌＳＣＧに基づいて経路損失を推定することと、ＳＣＧに関する共通探索スペースを提供することと、ＵＥ５１５に関するＳＰＳ構成情報を提供することと、を含み得る。
【００５７】
[0070]幾つかの態様において、ＰＣｅｌｌＰＣＧは、例えば、セキュリティ、ネットワークへの接続、初期接続、および／または無線リンク障害のような上層機能をＵＥ５１５に提供するように構成され得る。ＰＣｅｌｌＰＣＧは、ＰＣＧ内のセルに関する物理アップリンク制御チャネル（ＰＵＣＣＨ）を搬送するように、ＰＣＧの中で最低のセルインデックスを含めるように、ＰＣＧセルが同じ不連続的受信（ＤＲＸ）構成を有するのを可能にするように、ＭｅＮｏｄｅＢ５０５−ａにおいてコンテンションをベースにしたまたはコンテンションのないランダムアクセスのうちの１つまたは両方に関するランダムアクセスリソースを構成するように、ダウンリンク許可がＰＵＣＣＨに関する送信電力制御（ＴＰＣ）コマンドを搬送するのを可能にするように、ＰＣＧ内のセルに関する経路損失推定を可能にするように、ＭｅＮｏｄｅＢ５０５−ａに関する共通探索スペースを構成するように、および／または、半永続的スケジューリングを構成するように、構成され得る。
【００５８】
[0071]幾つかの態様において、ＰＣｅｌｌＳＣＧは、ＳＣＧ内のセルに関するＰＵＣＣＨを搬送するように、ＳＣＧの中で最低のセルインデックスの含めるために、ＳＣＧセルが同じＤＲＸ構成を有するのを可能にするように、ＳｅＮｏｄｅＢ５０５−ｂにおいてコンテンションをベースにしたまたはコンテンションのないランダムアクセスのうちの１つまたは両方に関するランダムアクセスリソースを構成するように、ダウンリンク許可がＰＵＣＣＨに関する送信電力制御（ＴＰＣ）コマンドを搬送するのを可能にするように、ＳＣＧ内のセルに関する経路損失推定を可能にするように、ＳｅＮｏｄｅＢ５０５−ｂに関する共通探索スペースを構成するように、および／または、半永続的スケジューリングを構成するように、構成され得る。
【００５９】
[0072]図５の例に戻り、ＵＥ５１５は、ＭｅＮｏｄｅＢ５０５−ａおよびＳｅＮｏｄｅＢ５０５−ｂに関する並行するＰＵＣＣＨ構成および物理アップリンク共有チャネル（ＰＵＳＣＨ）構成をサポートし得る。幾つかの場合、ＵＥ５１５は、両方のキャリアグループに適用可能であり得る（例えば、ＵＥ５１５をベースにした）構成を使用し得る。これらのＰＵＣＣＨ／ＰＵＳＣＨ構成は、例えば、ＲＲＣメッセージを通じて提供され得る。
【００６０】
[0073]ＵＥ５１５はまた、ＭｅＮｏｄｅＢ５０５−ａおよびＳｅＮｏｄｅＢ５０５−ｂに関する肯定応答（ＡＣＫ）／否定応答（ＮＡＣＫ）およびチャネル品質インジケータ（ＣＱＩ）の同時送信のためのおよびＡＣＫ／ＮＡＣＫ／サウンディング基準信号（ＳＲＳ）のための並行構成をサポートし得る。幾つかの場合、ＵＥ５１５は、両方のキャリアグループに適用可能であり得る（例えば、ＵＥをベースにしたおよび／またはＰＣＧまたはＳＣＧをベースにした）構成を使用し得る。これらの構成は、例えば、ＲＲＣメッセージを通じて提供され得る。
【００６１】
[0074]図６は、本開示の態様により構成されたＵＥ６１５およびコンポーネントの例を概念的に示したブロック図６００である。本明細書において図６に関連して説明される図７乃至図１０は、本開示の態様による方法例７００、８００、９００、および１０００を示す。図７乃至図１０において後述される動作は、特定の順序でおよび／または１つのコンポーネント例によって実行されるとして提示されるが、動作および動作を実行するコンポーネントの順序設定は、実装に依存して変更される得ることが理解されるべきである。さらに、以下の動作または機能は、特別にプログラミングされたプロセッサ、特別にプログラミングされたソフトウェアを実行するプロセッサまたはコンピュータ可読媒体によって、または、説明された動作または機能を実行することが可能なハードウェアコンポーネントおよび／またはソフトウェアコンポーネントによって、実行され得ることが理解されるべきである。
【００６２】
[0075]図６を参照し、概略図６００の（ＰＣｅｌｌＰＣＧを提供する）ＭｅＮｏｄｅＢ６０５−ａ、（ＰＣｅｌｌＳＣＧを提供する）ＳｅＮｏｄｅＢ６０５−ｂ、およびＵＥ６１５は、様々な図において説明される基地局／ｅＮｏｄｅＢおよびＵＥのうちの１つであり得る。ＭｅＮｏｄｅＢ６０５−ａ、またはそれに関連するＰＣｅｌｌＰＣＧ、およびＵＥ６１５は、第１の通信リンク６２５−ａを通じて通信し得る。説明されるように、ＭｅＮｏｄｅＢ６０５−ａに関連するＰＣＧはまた、ＵＥ６１５が第１の通信リンク６２５−ａを通じて通信することができるＭｅＮｏｄｅＢ６０５−ａまたは他のｅＮｏｄｅＢによって提供される１つまたは複数の他のセル（示されていない）を含み得る。ＳｅＮｏｄｅＢ６０５−ｂ、またはそれに関連するＰＣｅｌｌＳＣＧ、およびＵＥ６１５は、第２の通信リンク６２５−ｂを通じて通信し得る。説明されるように、ＳｅＮｏｄｅＢ６０５−ｂに関連するＳＣＧはまた、ＵＥ６１５が第２の通信リンク６２５−ｂを通じて通信することができるＳｅＮｏｄｅＢ６０５−ｂまたは他のｅＮｏｄｅＢによって提供される１つまたは複数の他のセル（示されていない）を含み得る。さらに、ＭｅＮｏｄｅＢ６０５−ａおよびＳｅＮｏｄｅＢ６０５−ｂ（または、ＰＣＧおよびＳＣＧ内の関連セル）は、バックホールリンク６３４を通じて通信し得る。ＵＥ６１５は、（例えば、ＵＥ６１５が電力が制限されている場合の同時送信のために）第１および第２の通信リンク６２５−ａおよび６２５−ｂを通じてのＭｅＮｏｄｅＢ６０５−ａおよびＳｅＮｏｄｅＢ６０５−ｂへの幾つかの送信を優先させるべきかどうかを決定するように構成され得る。
【００６３】
1[0076]この点に関して、ＵＥ６１５は、ｅＮｏｄｅＢ６０５−ａおよび６０５−ｂと第１および第２の通信リンク６２５−ａおよび６２５−ｂを通じて通信するための通信コンポーネント６４０を含み得る。通信コンポーネント６４０は、１つ以上のパラメータに基づいて同様の期間に（例えば、同時に）第１の通信リンクおよび第２の通信リンク６２５−ａおよび６２５−ｂを通じて送信される通信のうちのいずれの通信が優先されるべきかを決定するための送信優先順位設定コンポーネント６５０を含むことができ、または、送信優先順位設定コンポーネント６５０と通信状態にあることができる。この点に関して、送信優先順位設定コンポーネント６５０は、任意選択で、複数のセルまたはセルグループとともに実行されるＲＡＣＨプロシージャにおける送信の優先順位を設定するためのＲＡＣＨコンポーネント６５２、複数のセルまたはセルグループへの通信に送信電力の割合を割り振るための送信電力割り振りコンポーネント６５４、および／または、それの内容に基づいて複数のセルまたはセルグループに通信するためにＴＢを送信すべきかまたはドロップさせるべきかを決定するためのＴＢビットコンポーネント６５６を含むことができ、または、それらと通信状態にあることができる。
【００６４】
[0077]通信コンポーネント６４０、および／またはそれのコンポーネントは、デバイス間でのデータの有線または無線通信を容易にするためにデバイス（例えば、ＵＥ６０２）の１つまたは複数のコンポーネントを含み得、または、それらによって実装され得る。例えば、通信コンポーネント６４０は、デバイス上のハードウェア、プロセッサによって実行されるコンピュータ可読媒体、等を含み得、または、それらとして実装され得る。１つの具体例において、通信コンポーネント６４０は、アンテナ２５２を通じて信号を送信するための送信プロセッサ２６４、アンテナ２５２を通じて信号を受信するための受信プロセッサ２５８、本明細書において説明される１つまたは複数の機能を実行するためのコントローラ／プロセッサ２８０（または、プロセッサ２８０内のブロック２８１）のうちの少なくとも１つを含み得、または、それらのうちの少なくとも１つによって実装され得る。
【００６５】
[0078]図７は、１つまたは複数の接続を通じての送信の優先順位を設定すべきかどうかを決定することに少なくとも部分的に基づいて１つまたは複数の接続を通じて送信するための方法例７００を示す。方法７００は、ブロック７１０において、第１のセルグループ内の第１のプライマリセルと第１の接続を確立することを含む。通信コンポーネント６４０（図６）は、第１のセルグループ（例えば、ＰＣＧ）内の第１のプライマリセル（例えば、ＭｅＮｏｄｅＢ６０５−ａによって提供されるＰＣｅｌｌ）と第１の接続（例えば、通信リンク６２５−ａまたはそれの１つまたは複数のコンポーネントキャリア）を確立することができる。例えば、通信コンポーネント６４０は、少なくても部分的に、（例えば、ＭｅＮｏｄｅＢ６０５−ａによって提供されるＲＡＣＨリソースを通じて）ＭｅＮｏｄｅＢ６０５−ａとのランダムアクセスプロシージャを実行することによって第１の接続を確立することができる。ＭｅＮｏｄｅＢ６０５−ａは、キャリアアグリゲーションを使用してＰＣＧ内の他のセル（例えば、１つまたは複数のＳＣｅｌｌ）と通信するためのリソースをＵＥ６１５にさらに提供し得る。さらに、ＭｅＮｏｄｅＢ６０５−ａはまた、別のセルグループ（例えば、ＳＣＧ）と通信するためのリソースをＵＥ６１５に提供し得、および／または、ＵＥ６１５は、そうでない場合は、多元接続性無線通信においてＳＣＧを検出することに基づいてＳＣＧと通信することも決定し得る。
【００６６】
[0079]いずれの場合も、方法７００はまた、ブロック７１２において、第２のセルグループ内の第２のプライマリセルと第２の接続を確立することを含むことができる。通信コンポーネント６４０は、第２のセルグループ（例えば、ＳＣＧ）内の第２のプライマリセル（例えば、ＳｅＮｏｄｅＢ６０６−ｂによって提供されるＰＣｅｌｌ）と第２の接続（例えば、通信リンク６２５−ｂまたはそれの１つまたは複数のコンポーネントキャリア）を確立することができる。例えば、通信コンポーネント６４０は、少なくとも部分的に、ＭｅＮｏｄｅＢ６０５−ａから受信された情報、および／または同様の物に基づいて、（例えば、ＳｅＮｏｄｅＢ６０６−ｂによって提供されたＲＡＣＨリソースを通じて）ＳｅＮｏｄｅＢ６０６−ｂとのランダムアクセスプロシージャを実行することによって第２の接続を確立することができる。ＳｅＮｏｄｅＢ６０５−ｂは、キャリアアグリゲーションを使用してＳＣＧ内の他のセル（例えば、１つまたは複数のＳＣｅｌｌ）と通信するためのリソースをＵＥ６１５にさらに提供し得る。従って、ＵＥ６１５は、多元接続性無線通信において各々のＰＣＧおよびＳＣＧ内で通信するためにＭｅＮｏｄｅＢ６０５−ａおよびＳｅＮｏｄｅＢ６０５−ｂと接続を確立する。
【００６７】
[0080]しかしながら、ＵＥ６１５は、電力が制限され得、従って、（例えば、第１および第２の接続に関して指定された電力を少なくとも使用して）第１および第２の接続の両方を通じて同時に通信することが可能でないことがある。従って、方法７００は、ブロック７１４において、第１の接続を通じての第１の通信または第２の接続を通じての第２の通信のいずれを優先させるべきかを決定することを含み得る。例えば、第１の通信および第２の通信は、同時送信のためにスケジューリングされ得る。本明細書においてさらに説明されるように、送信優先順位設定コンポーネント６５０は、第１の接続を通じての第１の通信または第２の接続を通じての第２の通信のいずれを優先させるべきかを決定することができる。例えば、本明細書においてさらに説明されるように、送信優先順位設定コンポーネント６５０は、第２の送信の代わりに第１の通信を送信すべきかどうか、第１の通信の代わりに第２の通信を送信すべきかどうか、第２の通信（および／または、第１の通信または第２の通信を送信する際に利用すべき電力の部分）よりも高い電力で第１の通信を送信すべきかどうか、等を決定することができる。具体例において、以下において図８乃至図１０に関してさらに詳細に説明されるように、送信優先順位設定コンポーネント６５０は、同時にスケジューリングされたときに第１の接続または第２の接続のいずれを通じてＲＡＣＨ通信を送信すべきかを決定すること、第１および第２の接続を通じて同時通信を送信するための送信電力の部分を決定すること、トランスポートブロックの内容に基づいて第１および第２の接続を通じて同時通信に関連する幾つかのＴＢビットを送信すべきかどうかを決定すること、等ができる。
【００６８】
[0081]方法７００はまた、ブロック７１６において、第１の通信または第２の通信のいずれを優先させるべきかを決定することに少なくとも部分的に基づいて送信時間間隔（ＴＴＩ）において第１の接続を通じての第１の通信または第２の接続を通じての第２の通信のうちの少なくとも１つを送信することを含む。通信コンポーネント６４０は、第１の通信または第２の通信のいずれを優先させるべきかを決定することに少なくとも部分的に基づいてＴＴＩにおいて第１の接続を通じての第１の通信または第２の接続を通じての第２の通信のうちの少なくとも１つを適宜送信することができる。
【００６９】
[0082]図８は、複数のセルとのランダムアクセスプロシージャを実行するための方法例８００を示す。方法８００は、ブロック８１０において、少なくとも第１のセルによってサービスが提供される第１の接続を確立することを含む。通信コンポーネント６４０（図６）は、少なくとも第１のセルによってサービスが提供される第１の接続を確立することができ、それは、ＭｅＮｏｄｅＢ６０５−ａまたはそれの関連するセルまたはセルグループ（例えば、ＰＣＧ）との第１の通信リンク６２５−ａを確立することを含むことができる。方法８００はまた、ブロック８１２において、少なくとも第２のセルによってサービスが提供される第２の接続を確立することを含む。通信コンポーネント６４０はまた、少なくとも第２のセルによってサービスが提供される第２の接続を確立することができ、それは、ＳｅＮｏｄｅＢ６０５−ｂまたはそれの関連するセルまたはセルグループ（例えば、ＳＣＧ）との第２の通信リンク６２５−ｂを確立することを含むことができる。前述されるように、接続は、ＰＣＧおよびＳＣＧにおいて構成された通信をＵＥ６１５に提供するために多元接続性無線通信を使用して構成されることができ、ここで、それらの通信は、同時であり得る。
【００７０】
[0083]方法８００は、ブロック８１４において、少なくとも第１のセルとの第１の接続を通じての第１のランダムアクセスプロシージャを実行することをさらに含む。ＲＡＣＨコンポーネント６５２は、第１の通信リンク６２５−ａを通じて第１のランダムアクセスプロシージャを実行することができる。方法８００は、ブロック８１６において、少なくとも第２のセルとの第２の接続を通じての第２のランダムアクセスプロシージャを実行することをさらに含む。ＲＡＣＨコンポーネント６５２は、第２の通信リンク６２５−ｂを通じての第２のランダムアクセスプロシージャを実行することができる。ＲＡＣＨコンポーネント６５２は、一例においては、ランダムアクセスプロシージャを同時に実行することができ、従って、ＵＥ６１４が電力が制限されているシナリオでランダムアクセスプロシージャのための電力割り振りを決定することができる。例えば、ＲＡＣＨコンポーネント６５２は、第２の通信リンク６２５−ａを通じてのＭｅＮｏｄｅＢ６０５−ａとのランダムアクセスプロシージャを実行するための１つまたは複数のパラメータに基づいて第２の通信リンク６２５−ｂを通じてのＳｅＮｏｄｅＢ６０５−ｂとのランダムアクセスプロシージャを実行することができる。従って、ブロック８１６において第２のランダムアクセスプロシージャを実行することは、任意選択で、ブロック８１８において、第１のランダムアクセスプロシージャの１つまたは複数のパラメータに基づいて第２のランダムアクセスプロシージャを実行することを含み得る。
【００７１】
[0084]一例において、ランダムアクセスプロシージャは、増大する送信電力で一連のアクセスプローブを送信することによって実行されるコンテンションをベースにしたランダムアクセスプロシージャであり得、ここで、ｅＮｏｄｅＢは、アクセスプローブの送信電力がｅＮｏｄｅＢによって受け取られる上で十分に強いときにランダムアクセス応答で応答する。一例において、ＲＡＣＨコンポーネント６５２は、無線リンク障害（ＲＬＦ）を回避するためにＰＣＧまたはＳＣＧにランダムアクセスプローブを周期的に送り得る。しかしながら、通信コンポーネント６４０が、ＰＣＧおよびＳＣＧが同時に生じるようにランダムアクセスプローブをスケジューリングしており、および、ＵＥ６１５が電力が制限されている場合は、ＲＡＣＨコンポーネント６５２は、ＰＣＧにランダムアクセスプローブを送信するための送信電力および／またはＳＣＧにランダムアクセスプローブを同時に送信するための別の送信電力を（および／または一方のプローブまたは他方のプローブのいずれを送信するべきかを）決定し得る。
【００７２】
[0085]一例において、ＲＡＣＨコンポーネント６５２は、ＲＡＣＨプロシージャの一部として他方のセルグループに送られるランダムアクセスプローブの数に少なくとも部分的に基づいてセルグループのうちの１つにアクセスプローブを送信するための送信電力および／または例えばＲＬＦを回避するために他方のセルグループに送信されるべき次のアクセスプローブの電力を決定し得る。具体例において、アクセスプローブがＰＣＧおよびＳＣＧへの送信のために同時にスケジューリングされる場合、ＲＡＣＨコンポーネント６５２は、ＰＣＧに関するより高い送信電力のアクセスプローブが応答を受け取ることをもたらさなかった場合は、電力が制限されたシナリオであるときに元来割り振られるよりも大きいＳＣＧへのランダムアクセスプローブのための送信電力（および／または、ＳＣＧへのアクセスプローブのための電力の増大を許容するためにＰＣＧに送信すべきランダムアクセスプローブのためのより少ない電力）を使用し得る。従って、ＰＣＧとのアクセスプロシージャを完了させる尤度が低下するのに応じて、ＳＣＧとのアクセスプロシージャを完了させる尤度を高くするためにＳＣＧとの並行アクセスプロシージャにおいてアクセスプローブのためにより高い送信電力が使用され、その一方で、ＰＣＧに関する同時にスケジューリングされたランダムアクセスプローブを送信する際にはより低い電力が使用されることができ（または電力が使用されないことができる）。この点に関して、ＲＡＣＨコンポーネント６５２は、第１のランダムアクセスプロシージャの１つまたは複数のパラメータに基づいて第２のランダムアクセスプロシージャを実行することができる。
【００７３】
[0086]別の例において、ＲＡＣＨコンポーネント６５２は、ＰＣＧへのランダムアクセスプローブによる送信のために同時にスケジューリングされたときにＳＣＧへのランダムアクセスプローブのためにより大きい送信電力を使用することを決定し得、ここで、ＳＣＧへのランダムアクセスプローブはＲＬＦがＳＣＧに関して宣言される前に送信されるべき最後のランダムアクセスプローブ（または、最後からｎ個のプローブ）でありおよび／またはＰＣＧへのランダムアクセスプローブは、ＲＬＦがＰＣＧに関して宣言される前に送信されるべき最初のランダムアクセスプローブ（または、最初からｍ個のプローブ）である。この例において、ＳＣＧに関するＲＬＦがより切迫しているため、ＲＡＣＨコンポーネント６５２は、ランダムアクセス応答を受信することを試行してＳＣＧへのランダムアクセスプローブのためにより大きい送信電力を使用することができ、他方、ＲＡＣＨコンポーネント６５２がＰＣＧへのランダムアクセスプローブに対する応答を受信しないことは、ＲＬＦを宣言する前にＰＣＧに送信されるべきより多くのより高い電力のランダムアクセスプローブが存在するため懸念事項になり得ない。
【００７４】
[0087]いずれの例においても、ＳＣＧとのアクセスプロシージャおよび／または他のアクセスプロシージャ、等に基づいてＰＣＧに関するアクセスプローブの送信電力に対して同様の概念が適用されることができることが認識されるべきである。さらに、ＲＡＣＨコンポーネント６５２は、複数のセルとの並行するランダムアクセスプロシージャ、従って、連続的な送信において同時ランダムアクセスプローブがスケジューリングされる尤度を低下させるために、ＰＣＧとの第１のランダムアクセスプロシージャおよびＳＣＧとの第２のランダムアクセスプロシージャを実行するために異なるタイマ（例えば、それぞれ第１のタイマおよび第２のタイマ）によって構成されることができる。
【００７５】
[0088]図９は、１つまたは複数のｅＮｏｄｅＢに１つまたは複数のセルグループ間のタイミング差を報告するための方法例９００を示す。方法９００は、ブロック９１０において、少なくとも第１のセルによってサービスが提供される第１の接続を確立することを含む。通信コンポーネント６４０（図６）は、少なくとも第１のセルによってサービスが提供される第１の接続を確立することができ、それは、ＭｅＮｏｄｅＢ６０５−ａまたはそれの関連するセルまたはセルグループ（例えば、ＰＣＧ）との第１の通信リンク６２５−ａを含むことができる。方法９００はまた、ブロック９１２において、少なくとも第２のセルによってサービスが提供される第２の接続を確立することを含む。通信コンポーネント６４０はまた、少なくとも第２のセルによってサービスが提供される第２の接続を確立することができ、それは、ＳｅＮｏｄｅＢ６０５−ａまたはそれの関連するセルまたはセルグループ（例えば、ＳＣＧ）との第２の通信リンク６２５−ｂを含むことができる。前述されるように、接続は、ＰＣＧおよびＳＣＧで構成された通信をＵＥ６１５に提供するために多元接続性無線通信を使用して構成されることができ、ここで、通信は同時であり得る。
【００７６】
[0089]方法９００はまた、ブロック９１４において、少なくとも第１のセルから第１の送信電力を受け取ることに少なくとも部分的に基づいてある期間において少なくとも第１のセルと通信するための第１の送信電力を設定することを含む。送信電力割り振りコンポーネント６５４は、少なくとも第１のセルから（例えば、ＭｅＮｏｄｅＢ６０５−ａを介してＰＣＧの１つまたは複数のセルから）第１の送信電力を受け取ることに少なくとも部分的に基づいて期間（例えば、ＴＴＩ）において少なくとも第１のセル（例えば、ＭｅＮｏｄｅＢ６０５−ａによって提供されるＰＣＧ内の１つまたは複数のセル）と通信するための第１の送信電力を設定することができる。例えば、送信電力割り振りコンポーネント６５４は、ＰＣＧから利用可能な送信電力の割合として第１の送信電力を受け取ることができる。割合は、示された割合に基づいたある粒度を有する割合にマッピングする値として示され得る。例えば、割合にマッピングされた関連値を使用して、１０％乃至９０％の間の送信電力は５％粒度で示され得、０％乃至１０％の間および９０％乃至１００％の間の送信電力は、２％粒度で示され得る（例えば、０％、２％、４％、６％、８％、１０％、１５％、２０、２５％、．．．、８０％、８５％、９０％、９２％、９４％、９６％、９８％、１００％の可能な割合）。従って、上例において、２７個の可能な値を使用して、送信電力割り振りコンポーネント６５４は、５ビットで送信電力を示すことができ、ここで、ビットは、２７個の可能な値のうちの１個にマッピングする値を示すことができる。この例は限定するものではなく、あるビット数に制限された粒度の実質上あらゆる設定が送信電力を表すために使用されることができることが認識されるべきである。さらに、割合への値のマッピングは、（例えば、ＭｅＮｏｄｅＢ６０５−ａまたは別のネットワークノードによって）ＵＥ６１５において構成されること、ＵＥ６１５のメモリ内に格納されること、等ができる。
【００７７】
[0090]方法９００はまた、ブロック９１６において、少なくとも第１のセルまたは少なくとも第２のセルから第２の送信電力を受け取ることに少なくとも部分的に基づいてある期間において少なくとも第２のセルと通信するための第２の送信電力を設定することを含む。送信電力割り振りコンポーネント６５４は、少なくとも第１のセル（例えば、ＭｅＮｏｄｅＢ６０５−ａを介してのＰＣＧ）または少なくとも第２のセル（例えば、ＳｅＮｏｄｅＢ６０５−ｂを介してのＳＣＧ）から第２の送信電力を受け取ることに少なくとも部分的に基づいて期間（例えば、ＴＴＩ）において少なくとも第２のセル（例えば、ＳＣＧ）と通信するための第２の送信電力を設定することができる。一例において、ＳｅＮｏｄｅＢ６０５−ｂは、ＵＥ６１５に第２の送信電力の割合をシグナリングすることができ、その場合、送信電力割り振りコンポーネント６５４は、ＳｅＮｏｄｅＢ６０５−ｂから第２の送信電力の割合を受信し、送信電力を適宜設定する。本明細書においてさらに説明されるように、ＭｅＮｏｄｅＢ６０５−ａおよびＳｅＮｏｄｅＢ６０５−ｂは、バックホールリンク６３４を通じてＵＥ６１５に関する送信電力割合を調整し得る。ＭｅＮｏｄｅＢ６０５−ａおよびＳｅＮｏｄｅＢ６０５−ｂは、各セルグループからのＵＥ６１５に関するチャネル品質、ＵＥ６１５のベアラに関する要求事項、等を含む様々な考慮事項に基づいて送信電力割合を調整し得る。
【００７８】
[0091]別の例において、ＭｅＮｏｄｅＢ６０５−ａは、（例えば、同じまたは別個の指示メッセージにおいて）ＰＣＧおよびＳＣＧの両方に関してＵＥ６１５に送信電力割合を通信することができる。この例において、本明細書においてさらに説明されるように、ＭｅＮｏｄｅＢ６０５−ａは、送信電力割合を決定することができ、および、ＳｅＮｏｄｅＢ６０５−ｂにＳＣＧの送信電力割合を通信することができる。一例において、図１１および図１２に関連してさらに説明されるように、ＳｅＮｏｄｅＢ６０５−ｂは、第２の通信リンク６２５−ｂを通じて、または、第１の通信リンク６２５−ａを通じて送信するためにバックホールリンク６３４を介してＭｅＮｏｄｅＢ６０５−ａにメッセージを通信することによってＵＥ６１５までトンネリングされたメッセージにおいて、ＵＥ６１５に電力割合を送信し得る。従って、方法９００のブロック９１６において第２の送信電力を設定することはまた、任意選択で、ブロック９１８において、第１のセルを通じてトンネリングされたメッセージにおいて第２の送信電力を受け取ることを含み得る。送信電力割り振りコンポーネント６５４は、第１のセル（例えば、ＭｅＮｏｄｅＢ６０５−ａによって提供されるＰＣＧのセル）を通じてトンネリングされた（例えば、ＳｅＮｏｄｅＢ６０５−ｂまたはＳＣＧの関連セルからの）メッセージにおいて第２の送信電力を受け取ることができる。
【００７９】
[0092]さらに、例えば、この点に関して送信電力割合を示すメッセージをトンネリングすることは、ＵＥ６１５に送信電力割合を提供する上での追加の遅延を導入し得る。従って、方法９００は、任意選択で、ブロック９２０において、第１の送信電力を設定することに少なくとも部分的に基づいて期間において少なくとも第２のセルと通信するための第２の送信電力を設定することを含み得る。送信電力割り振りコンポーネント６５４は、第１の送信電力を設定することに少なくとも部分的に基づいて期間（例えば、ＴＴＩ）において少なくとも第２のセルと通信するための第２の送信電力を設定することができる。例えば、送信電力割り振りコンポーネント６５４は、第１の送信電力が設定されることに基づいて新しい送信電力割合が受け取られるまで、ＳＣＧと通信するために現在設定されている送信電力割合を使用し得る。しかしながら、ＰＣＧに関して受け取られた第１の送信電力の割合プラスＳＣＧに関する現在の送信電力割合が利用可能な送信電力（例えば、１００％の送信電力）を超える場合は、送信電力割り振りコンポーネント６５４は、利用可能な送信電力（例えば、１００％）マイナスＰＣＧと通信するために受け取られた第１の送信電力の割合であるＳＣＧに関する送信電力割合を設定することができる。いずれの場合も、送信電力割り振りコンポーネント６５４は、ＰＣＧおよび／またはＳＣＧと通信する際に使用するために第１の通信リンク６２５−ａまたは第２の通信リンク６２５−ｂを通じて送信電力割合を受け取ることができる。
【００８０】
[0093]図１０は、１つまたは複数のセルに送信するためにＴＢビットの優先順位を設定するための方法例１０００を示す。方法１０００は、ブロック１０１０において、少なくとも第１のセルによってサービスが提供される第１の接続を確立することを含む。通信コンポーネント６４０（図６）は、少なくとも第１のセルによってサービスが提供される第１の接続を確立することができ、それは、ＭｅＮｏｄｅＢ６０５−ａまたはそれの関連するセルまたはセルグループ（例えば、ＰＣＧ）との第１の通信リンク６２５−ａを含むことができる。方法１０００はまた、ブロック１０１２において、少なくとも第２のセルによってサービスが提供される第２の接続を確立することを含む。通信コンポーネント６４０はまた、少なくとも第２のセルによってサービスが提供される第２の接続を確立することができ、それは、ＳｅＮｏｄｅＢ６０５−ａまたはそれの関連するセルまたはセルグループ（例えば、ＳＣＧ）との第２の通信リンク６２５−ｂを含むことができる。前述されるように、接続は、ＰＣＧおよびＳＣＧにおいて構成された通信をＵＥ６１５に提供するために多元接続性無線通信を使用して構成されることができ、ここで、それらの通信は、同時であり得る。
【００８１】
[0094]方法１０００はまた、ブロック１０１４において、ＴＢビットが関連するチャネルの内容に少なくとも部分的に基づいて少なくとも第１のセルまたは少なくとも第２のセルへの送信のためにＴＢビットの数の優先順位を設定することを含む。ＴＢビットコンポーネント６５６は、ＴＢビットが関連するチャネルの内容に少なくとも部分的に基づいて少なくとも第１のセル（例えば、ＭｅＮｏｄｅＢ６０５−ａによって提供されるＰＣＧのセル）または少なくとも第２のセル（例えば、ＳｅＮｏｄｅＢ６０５−ｂによって提供されるＳＣＧのセル）への送信のためにＴＢビットの数の優先順位を設定することができる。一例において、ＴＢビットコンポーネント６５６は、共有チャネル（例えば、アップリンク共有チャネル（ＵＬ−ＳＣＨ）または同様のチャネル）トランスポートブロックビットの最大数がＴＴＩ内において超えられていると決定することに少なくとも部分的に基づいてＴＢビットの数の優先順位を設定することができる。従って、一例において、方法１０００は、任意選択で、ブロック１０１６において、共有チャネルトランスポートブロックビットの最大数が超えられていると決定することを含むことができる。
【００８２】
[0095]例えば、ＴＢビットの数の優先順位を設定する際に、ＴＢビットコンポーネント６５６は、ＴＢビットが制御データ（例えば、アップリンク制御情報（ＵＣＩ）または同様のデータ）、ＲＲＣ層通信、等に関連するかどうかを決定することができ、および、そのような通信を適宜（例えば、および／または制御またはデータチャネル通信を通じて）優先させることができる。例えば、
ＴＢビットコンポーネント６５６は、ＴＢに関して決定された内容に基づいてアップリンク制御チャネル（例えば、ＰＵＳＣＨ）の幾つかのＴＢビットを送信するかまたはドロップさせることができる。例えば、ＴＢビットがＲＲＣシグナリングに対応するがＵＥ６１５の電力限度が送信によって超えられる場合は、ＴＢビットコンポーネント６５６は、別のセルグループに関する他の通信とともにＲＲＣ信号を送信するときに電力制限を守るために信号をドロップさせずにＲＲＣ信号の電力をスケーリング（例えば、電力をスケールダウン）し得る。
【００８３】
[0096]同様に、例えば、ＴＢビットコンポーネント６５６は、ＵＥ６１５の電力制限を達成するために通信コンポーネント６４０が優先されたＴＢビットを送信し、他のＴＢビットはドロップされ得るかまたは元の送信電力からスケールダウンされる送信電力が割り当てられ得るようにするために、新しい送信データに関連するＴＢビットよりも再送信データに関連するそれらを優先させること、半静的なスケジューリングされたデータに関連するＴＢビットよりも動的なスケジューリングされたデータに関連するそれらを優先させること、等ができる。ＵＥ６１５の電力制限は、ＭｅＮｏｄｅＢ６０５−ａ、ＳｅＮｏｄｅＢ６０５−ｂ、等によって設定された電力制限、（例えば、モバイルネットワークオペレータまたはデバイスメーカーによって）ＵＥ６１内において設定された電力制限、等を含むことができる。
【００８４】
[0097]図１１は、本開示の態様により構成されたネットワークエンティティ１１０５およびコンポーネントの例を概念的に示したブロック図１１００である。本明細書における図１１と連繋して説明される図１２は、本開示の態様による方法例１２００を示す。以下において図１２で説明される動作は、特定の順序でおよび／または１つのコンポーネント例によって実行されるとして提示されるが、動作および動作を実行するコンポーネントの順序設定は、実装に依存して変更される得ることが理解されるべきである。さらに、以下の動作または機能は、特別にプログラミングされたプロセッサ、特別にプログラミングされたソフトウェアを実行するプロセッサまたはコンピュータ可読媒体によって、または、説明された動作または機能を実行することが可能なハードウェアコンポーネントおよび／またはソフトウェアコンポーネントの任意の他の組み合わせによって、実行され得ることが理解されるべきである。
【００８５】
[0098]図１１を参照し、概略図１１００は、ネットワークエンティティ１１０５−ａおよび１１０５−ｂを含み、それらは、１つまたは複数の前述されたＵＥ（例えば、ＵＥ６１５）を含むことができるＵＥ１１１５とともに、１つまたは複数の前述された基地局／ｅＮｏｄｅＢ（例えば、ＰＣｅｌｌＰＣＧを有するＭｅＮｏｄｅＢ６０５−ａ、ＰＣｅｌｌＳＣＧを有するＳｅＮｏｄｅＢ、等）、または他のネットワークエンティティを含むことができる。ネットワークエンティティ１１５−ａおよびＵＥ１１１５は、第１の通信リンク１１２５−ａを通じて通信し得、ネットワークエンティティ１１５０−ｂおよびＵＥ１１１５は、第２の通信リンク１１２５−ｂを通じて通信し得る。本明細書において説明されるように、ＵＥ１１１５は、ネットワークエンティティ１１０５−ａおよび１１０５−ｂとの通信を優先させるように構成され得る。上述されるように、ネットワークエンティティ１１０５−ａは、ＵＥ１１１５に送信電力割り振り割合を示すための通信コンポーネント１１４０を含む。
【００８６】
[0099]通信コンポーネント１１４０は、ネットワークエンティティ１１０５−ａおよび１１５０−ｂと通信するためにＵＥ１１１５に１つまたは複数の送信電力割り振りを示すための電力割り振り指示コンポーネント１１５０、および／または、任意選択で、ＵＥ１１１５に通信するための送信電力割り振りを含むネットワークエンティティ１１０５−ｂからのトンネリングされたメッセージを受信するための電力割り振り受信コンポーネント１１５２を含むことができ、または、それらと通信状態にあることができる。
【００８７】
[00100]通信コンポーネント１１４０、および／またはそれのコンポーネントは、デバイス間でのデータの有線または無線通信を容易にするためにデバイス（例えば、ネットワークエンティティ１１０５−ａ）の１つまたは複数のコンポーネントを含み得、または、それらによって実装され得る。例えば、通信コンポーネント１１４０は、デバイス上のハードウェア、プロセッサによって実行されるコンピュータ可読媒体、等を含み得、または、それらとして実装され得る。１つの具体例において、通信コンポーネント１１４０は、アンテナ２３４を通じて信号を送信するための送信プロセッサ２２０、アンテナ２３４を通じて信号を受信するための受信プロセッサ２３８、本明細書において説明される１つまたは複数の機能を実行するためのコントローラ／プロセッサ２４０、等のうちの少なくとも１つを含み得、または、少なくとも１つによって実装され得る。
【００８８】
[00101]図１２は、多元接続性において複数のセルと通信するための送信電力割り振りを示すための方法例１２００を示す。方法１２００は、ブロック１２１０において、ＵＥとの第１の接続のための第１の送信電力割り振りを決定することを含む。電力割り振り指示コンポーネント１１５０（図１１）は、ＵＥ１１１５との第１の接続（例えば、第１の通信リンク１１２５−ａ）のための第１の送信電力割り振りを決定することができる。第１の送信電力割り振りを決定することは、ネットワークエンティティ１１０５−ａおよび／またはネットワーク１１０５−ｂにおけるＵＥ１１１５に関するチャネル品質のような１つまたは複数のパラメータに基づき得、および、以下において説明される第２の送信電力割り振りと関連して決定され得る。さらに、例えば、上述されるように、第１の送信電力割り振りは、送信電力割合にマッピングする値に相関させることができる。
【００８９】
[00102]方法１２００はまた、ブロック１２１２において、ＵＥとセカンダリセルとの間での第２の接続のための第２の送信電力割り振りを決定することを含む。電力割り振り指示コンポーネント１１５０は、ＵＥ１１１５とセカンダリセル（例えば、ネットワークエンティティ１１０５−ｂまたは関連するセルまたはセルグループ）との間の第２の接続（例えば、第２の通信リンク１１２５−ｂ）のための第２の送信電力割り振りを決定することができる。例えば、電力割り振り指示コンポーネント１１５０は、ＵＥ１１１５が電力が限定されている場合に第１および第２の電力割り振りを電力の割合として交渉またはその他の方法で決定し得る。この点に関して、一例において、電力割り振り指示コンポーネント１１５０はまた、バックホールリンク１１３４を通じてネットワークエンティティ１１０５−ｂに第２の送信電力割り振り（例えば、または第２の送信電力割り振りが決定され得る第１の送信電力割り振り）を通信することができる。
【００９０】
[00103]方法１２００は、任意選択で、ブロック１２１４において、ＵＥを提供するためのトンネリングされたメッセージにおいてセカンダリセルから第２の送信電力割り振りを受信することを含み得る。この例において、電力割り振り受信コンポーネント１１５２は、ネットワークエンティティ１１０５−ｂからメッセージを受信することができ、それは、バックホールリンク１１３４を通じて電力割り振り指示コンポーネント１１５０によってネットワークエンティティ１１０５−ｂに以前に提供された第２の送信電力割り振りを含むことができる。
【００９１】
[00104]方法１２００はまた、ブロック１２１６において、ＵＥに第１の送信電力割り振りおよび第２の送信電力割り振りを送信することを含む。通信コンポーネント１１４０は、第１および第２の通信リンク１１２５−ａおよび１１２５−ｂを通じて通信する際に利用するためにＵＥ１１１５に第１の送信電力割り振りおよび第２の送信電力割り振りを送信することができる。例えば、第２の送信電力割り振りを送信することは、ＵＥ１１１５にネットワークエンティティ１１０５−ｂから受信されたトンネリングされたメッセージを提供することなどを含むことができる。さらに、この点に関して、通信コンポーネント１１４０は、同じまたは別個の指示メッセージにおいて第１の送信電力割り振りおよび第２の送信電力割り振りを送信することができる。さらに、上述されるように、一例において、通信コンポーネント１１４０は、第１の送信電力割り振りを送信し得、他方のネットワーク１１０５−ｂは、第２の送信電力割り振りを送信することができる。
【００９２】
[00105]図１３は、本開示の態様より構成された処理システム１３１４を使用する装置１３００に関するハードウェア実装例を概念的に示したブロック図である。処理システム１３１４は、通信コンポーネント１３４０を含む。一例において、装置１３００は、同じまたは同様であり得、または様々な図において説明されるＵＥのうちの１つとともに含められ得る。そのような例において、通信コンポーネント１３４０は、例えば、ＵＥ６１５の通信コンポーネント６４０、ネットワークエンティティ１１０５の通信コンポーネント１１４０、等に対応し得る。この例において、処理システム１３１４は、概してバス１３０２によって表されるバスアーキテクチャとともに実装され得る。バス１３０２は、処理システム１３１４の特定の適用例および全体的設計制約に依存して任意の数の相互接続バスおよびブリッジを含み得る。バス１３０２は、１つまたは複数のプロセッサ（例えば、中央処理装置（ＣＰＵ））と、マイクロコントローラと、特定用途向け集積回路（ＡＳＩＣ）と、概してプロセッサ１３０４によって表されるフィールドプログラマブルゲートアレイ（ＦＰＧＡ）と、概してコンピュータ可読媒体１３０６によって表されるコンピュータ可読媒体と、を含む様々な回路をまとめてリンクする。バス１３０２はまた、タイミングソース、周辺機器、電圧調整器、および電力管理回路のような様々な他の回路をリンクし得、それらは、当業においては周知であり、従って、それ以上は説明されない。バスインタフェース１３０８は、バス１３０２と信号を受信または送信するための１本または複数本のアンテナ１３２０に接続されるトランシーバ１３１０との間のインタフェースを提供する。トランシーバ１３１０および１本または複数本のアンテナ１３２０は、送信媒体を通じて（例えば、オーバー・ザ・エアで）様々な他の装置と通信するためのメカニズムを提供する。装置の性質に依存して、ユーザインタフェース（ＵＩ）１３１２（例えば、キーパッド、ディスプレイ、スピーカー、マイク、ジョイスティック）も提供され得る。
【００９３】
[00106]プロセッサ１３０４は、バス１３０２およびコンピュータ可読媒体１３０６上に格納されたソフトウェアの実行を含む一般的処理を担う。ソフトウェアは、プロセッサ１３０４によって実行されると、いずれかの特定の装置に関して本明細書において説明される様々な機能を実行することを処理システム１３１４に行わせる。コンピュータ可読媒体１３０６はまた、ソフトウェアを実行するときにプロセッサ１３０４によって処理されるデータを格納するために使用され得る。上述される通信コンポーネント１３４０は、プロセッサ１３０４によって、または、コンピュータ可読媒体１３０６によって、または、プロセッサ１３０４とコンピュータ可読媒体１３０６の任意の組み合わせによって、全体または一部が実装され得る。
【００９４】
[00107]情報および信号は、様々な異なる技術および技法のうちのいずれかを使用して表され得ることを当業者は理解するであろう。例えば、上記の説明全体を通じて参照されることがあるデータ、命令、コマンド、情報、信号、ビット、シンボル、およびチップは、電圧、電流、電磁波、磁場、磁粒子、光学場、光学粒子、またはそれらの任意の組合せによって表されることができる。
【００９５】
[00108]本明細書における本開示に関連して説明される様々な例示的な論理ブロック、モジュール、回路、およびアルゴリズムのステップは、電子ハードウェア、コンピュータソフトウェア、または両方の組み合わせとして実装され得ることを当業者はさらに認識するであろう。ハードウェアとソフトウェアのこの互換性を明確に例示するため、上記においては、様々な例示的なコンポーネント、ブロック、モジュール、回路、およびステップが、それらの機能の観点で一般的に説明されている。そのような機能がハードウェアとしてまたはソフトウェアとして実装されるかは、特定の適用例および全体的システムに対する設計制約に依存する。当業者は、説明されている機能を各々の特定の適用例に合わせて様々な形で実装し得るが、そのような実装決定は、本開示の適用範囲からの逸脱を生じさせるものであるとは解釈されるべきではない。
【００９６】
[00109]本明細書における開示に関連して説明される様々な例示的な論理ブロック、モジュール、および回路は、本明細書において説明される機能を実行するように設計された汎用プロセッサ、デジタル信号プロセッサ（ＤＳＰ）、ＡＳＩＣ、ＦＰＧＡ、他のプログラマブル論理デバイス、ディスクリートゲート論理、ディスクリートトランジスタ論理、ディスクリートハードウェアコンポーネント、またはそれらの任意組合せ、を使用して実装または実行され得る。汎用プロセッサはマイクロプロセッサであり得るが、代替においては、プロセッサは、従来のどのようなプロセッサ、コントローラ、マイクロコントローラ、またはステートマシンであってもよい。プロセッサはまた、コンピューティングデバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、または任意の他のそのような構成、として実装され得る。
【００９７】
[00110]本明細書における開示に関連して説明される方法またはアルゴリズムのステップは、直接ハードウェア内において、プロセッサによって実行されるソフトウェアモジュール内において、またはそれらの２つの組み合わせ内において具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、取り外し可能なディスク、ＣＤ−ＲＯＭ、または当業界において既知であるその他の任意の形態の記憶媒体において常駐し得る。例示的な記憶媒体は、プロセッサが記憶媒体から情報を読み出すことおよび記憶媒体に情報を書き込むことができるような形でプロセッサに結合される。代替において、記憶媒体は、プロセッサと一体化させ得る。プロセッサおよび記憶媒体は、ＡＳＩＣ内に常駐し得る。ＡＳＩＣは、ユーザ端末内に常駐し得る。代替において、プロセッサおよび記憶媒体は、ユーザ端末内において個別コンポーネントとして常駐し得る。 [00111]１つまたは複数の例示的な設計において、説明される機能は、ハードウェア、ソフトウェア、ファームウェア、またはそれらの任意の組み合わせに実装され得る。ソフトウェアに実装される場合は、それらの機能は、１つまたは複数の命令またはコードとしてコンピュータ可読媒体において格納され得またはコンピュータ可読媒体を通じて送信され得る。コンピュータ可読媒体は、コンピュータ記憶媒体と、１つの場所から他へのコンピュータプログラムの転送を容易にする任意の媒体を含む通信媒体と、の両方を含む。記憶媒体は、汎用または専用コンピュータによってアクセスされることができる任意の利用可能な媒体であり得る。例として、および限定することなしに、そのようなコンピュータ可読媒体は、ＲＡＭ、ＲＯＭ、ＥＥＰＲＯＭ、ＣＤ−ＲＯＭまたはその他の光学ディスクストレージ、磁気ディスクストレージまたはその他の磁気記憶デバイス、または、希望されるプログラムコード手段を命令またはデータ構造の形態で搬送または格納するために使用されることができおよび汎用または専用コンピュータ、または汎用または専用プロセッサによってアクセスされることができる任意の他の媒体、を備えることができる。さらに、任意の接続は、コンピュータ可読媒体であると適切に呼ばれる。例えば、ソフトウェアが、同軸ケーブル、光ファイバケーブル、より対線、デジタル加入者ライン（ＤＳＬ）、または、赤外線、無線、およびマイクロ波のような無線技術を使用してウェブサイト、サーバ、または他の遠隔ソースから送信される場合、同軸ケーブル、光ファイバケーブル、より対線、ＤＳＬは、または、赤外線、無線、およびマイクロ波のような無線技術は、媒体の定義の中に含まれる。本明細書において用いられるときのディスク（ｄｉｓｋおよびｄｉｓｃ）は、コンパクトディスク（ＣＤ）（ｄｉｓｃ）と、レーザーディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは通常は磁気的にデータを再生し、ｄｉｓｃは、レーザを用いて光学的にデータを再生する。上記の組み合わせも、コンピュータ可読媒体の適用範囲内に含められるべきである。 [00112]本開示の前の説明は、任意の当業者が本開示を製造または使用することを可能にするために提供される。本開示に対する様々な変更は、当業者にとって容易に明確になるであろう、およびここにおいて定められる一般原理は、本開示の精神または適用範囲から逸脱せずにその他の変形に対して適用され得る。以上のように、本開示は、本明細書において示される例および設計に限定されるものではなく、本明細書において開示される原理および新規の特徴に一致する限りにおいて最も広範な適用範囲が認められるべきである。
以下に本願の出願当初の特許請求の範囲に記載された発明を付記する。
［Ｃ１］
多元接続性無線ネットワークにおいて送信電力を割り振るための方法であって、
第１のセルグループ内の第１のプライマリセルと第１の接続を確立することと、
第２のセルグループ内の第２のプライマリセルと第２の接続を確立することと、
前記第１の接続を通じての第１の通信または前記第２の接続を通じての第２の通信のいずれを優先させるべきかを決定すること、ここにおいて、前記第１の通信および前記第２の通信は、同時送信のためにスケジューリングされる、と、
前記第１の通信または前記第２の通信のいずれを優先させるべきかを決定することに少なくとも部分的に基づいて送信時間間隔（ＴＴＩ）において前記第１の接続を通じての前記第１の通信または前記第２の通信を通じての前記第２の通信のうちの少なくとも１つを送信することと、を備える、多元接続性無線ネットワークにおいて送信電力を割り振るための方法。
［Ｃ２］
前記第１の通信は、前記第１のプライマリセルとの前記第１の接続を通じて実行される第１のランダムアクセスプロシージャに関し、および、ここにおいて、前記第２の通信は、前記第２のプライマリセルとの前記第２の接続を通じて実行される第２のランダムアクセスプロシージャに関する、
Ｃ１に記載の方法。
［Ｃ３］
前記第１の通信または前記第２の通信のいずれを優先させるべきかを決定することは、前記第１のランダムアクセスプロシージャにおけるランダムアクセス試行の数に少なくとも部分的に基づいて前記第１のランダムアクセスプロシージャよりも前記第２のランダムアクセスプロシージャを優先させることを備える、
Ｃ２に記載の方法。
［Ｃ４］
前記第１の通信または前記第２の通信のいずれを優先させるべきかを決定することは、前記第２のランダムアクセスプロシージャにおける次のランダムアクセス送信のために使用すべき電力に少なくとも部分的に基づいて前記第１のランダムアクセスプロシージャよりも前記第２のランダムアクセスプロシージャを優先させることを備える、
Ｃ２に記載の方法。
［Ｃ５］
前記第１のランダムアクセスプロシージャは、第１のタイマに基づき、前記第２のランダムアクセスプロシージャは、第２のタイマに基づき、ここにおいて、前記第１のタイマおよび前記第２のタイマは、異なるタイマ値を利用する、
Ｃ２に記載の方法。
［Ｃ６］
前記第１の通信または前記第２の通信のうちの少なくとも１つを送信することは、前記第１のランダムアクセスプロシージャの第１のアクセスプローブの代わりに前記ＴＴＩにおいて前記第２のランダムアクセスプロシージャの第２のアクセスプローブを送信することまたは前記ＴＴＩにおいて前記第１のアクセスプローブよりも高い送信電力を有する前記第２のアクセスプローブを送信することのうちの少なくとも１つを備える、
Ｃ２に記載の方法。
［Ｃ７］
前記第１のプライマリセルから前記第１の送信電力を受け取ることに少なくとも部分的に基づいて前記ＴＴＩにおいて前記第１のセルグループと通信するための第１の送信電力を設定することと、
前記第１のプライマリセルまたは前記第２のプライマリセルから前記第２の送信電力を受け取ることに少なくとも部分的に基づいて前記ＴＴＩにおいて前記第２のセルグループと通信するための第２の送信電力を設定することと、をさらに備え、
ここにおいて、前記第１の通信または前記第２の通信のいずれを優先させるべきかを決定することは、前記第１の送信電力および前記第２の送信電力に基づいて前記第１の通信または前記第２の通信を優先させることを決定することを備え、および、
ここにおいて、前記第１の通信または前記第２の通信のうちの前記少なくとも１つを送信することは、前記ＴＴＩにおいて前記第１の送信電力に基づいて前記第１の接続を通じて前記第１の通信を送信することと、前記第２の送信電力に基づいて前記第２の接続を通じて前記第２の通信を送信することと、を備える、
Ｃ１に記載の方法。
［Ｃ８］
前記第２の送信電力を受け取ることは、前記第１のプライマリセルを通じてトンネリングされたメッセージにおいて前記第２のプライマリセルから前記第２の送信電力を受け取ることを備える、
Ｃ７に記載の方法。
［Ｃ９］
前記第２の送信電力が受け取られるまで前記ＴＴＩにおいて前記第２のセルグループと通信するために異なる送信電力を使用することをさらに備え、ここにおいて、前記異なる送信電力は、前記第２のセルグループと通信するために使用された以前の送信電力である、
Ｃ８に記載の方法。
［Ｃ１０］
前記第２の送信電力が受け取られるまで前記ＴＴＩにおいて前記第２のセルグループと通信するために異なる送信電力を使用することをさらに備え、ここにおいて、前記異なる送信電力は、前記第１の送信電力プラス前記第２のセルグループと通信する際に使用される現在の送信電力が利用可能な送信電力を超える場合に前記第１の送信電力に少なくとも部分的に基づいて設定される、
Ｃ８に記載の方法。
［Ｃ１１］
前記第１の送信電力または前記第２の送信電力のうちの少なくとも１つは、利用可能な送信電力の複数の割合のうちの１つにマッピングする値として受け取られる、
Ｃ７に記載の方法。
［Ｃ１２］
前記複数の割合の少なくとも一部分は、異なる粒度である、
Ｃ１１に記載の方法。
［Ｃ１３］
前記第１の通信または前記第２の通信のいずれを優先させるべきかを決定することは、トランスポートブロックビットが関連するチャネルの内容に少なくとも部分的に基づいて前記第１の接続または前記第２の接続を通じての送信のために前記トランスポートブロックビットの数の優先順位を設定することを決定することを備える、
Ｃ１に記載の方法。
［Ｃ１４］
トランスポートブロックビットの前記数の優先順位を設定することを決定することは、新しい送信に関連するトランスポートブロックビットよりも再送信に関連するそれらを優先させることを備える、
Ｃ１３に記載の方法。
［Ｃ１５］
トランスポートブロックビットの前記数の優先順位を設定することを決定することは、無線リソース制御（ＲＲＣ）通信に対応するアップリンク制御チャネル上のトランスポートブロックビットの送信電力をスケーリングすることを備える、
Ｃ１３に記載の方法。
［Ｃ１６］
多元接続性無線ネットワークにおいて送信電力を割り振るための装置であって、
第１のセルグループ内の第１のプライマリセルと第１の接続を確立し、および、第２のセルグループ内の第２のプライマリセルと第２の接続を確立するように構成された通信コンポーネントと、
前記第１の接続を通じての第１の通信または前記第２の接続を通じての第２の通信のいずれを優先させるべきかを決定するように構成された送信優先順位設定コンポーネント、ここにおいて、前記第１の通信および前記第２の通信は、同時送信のためにスケジューリングされる、と、を備え、
ここにおいて、前記通信コンポーネントは、前記送信優先順位設定コンポーネントが前記第１の通信または前記第２の通信のいずれを優先させるべきかを決定することに少なくとも部分的に基づいて送信時間間隔（ＴＴＩ）において前記第１の接続を通じての前記第１の通信または前記第２の通信を通じての前記第２の通信のうちの少なくとも１つを送信するようにさらに構成される、多元接続性無線ネットワークにおいて送信電力を割り振るための装置。
［Ｃ１７］
前記第１の通信は、前記第１のプライマリセルとの前記第１の接続を通じて実行される第１のランダムアクセスプロシージャに関し、および、ここにおいて、前記第２の通信は、前記第２のプライマリセルとの前記第２の接続を通じて実行される第２のランダムアクセスプロシージャに関する、
Ｃ１６に記載の装置。
［Ｃ１８］
前記送信優先順位設定コンポーネントは、前記第１のランダムアクセスプロシージャにおけるランダムアクセス試行の数に少なくとも部分的に基づいて前記第１のランダムアクセスプロシージャよりも前記第２のランダムアクセスプロシージャを優先させるように構成されたランダムアクセスチャネル（ＲＡＣＨ）コンポーネントを備える、
Ｃ１７に記載の装置。
［Ｃ１９］
前記送信優先順位設定コンポーネントは、前記第２のランダムアクセスプロシージにおける次のランダムアクセス送信のために使用すべき電力に少なくとも部分的に基づいて前記第１のランダムアクセスプロシージャよりも前記第２のランダムアクセスプロシージャを優先させるように構成されたランダムアクセスチャネル（ＲＡＣＨ）コンポーネントを備える、
Ｃ１７に記載の装置。
［Ｃ２０］
前記通信コンポーネントは、前記第１のランダムアクセスプロシージャの第１のアクセスプローブの代わりに前記ＴＴＩにおいて前記第２のランダムアクセスプロシージャの第２のアクセスプローブを送信することまたは前記ＴＴＩにおいて前記第１のアクセスプローブよりも高い送信電力を有する前記第２のアクセスプローブを送信することのうちの少なくとも１つであるように構成される、
Ｃ１７に記載の装置。
［Ｃ２１］
前記送信優先順位設定コンポーネントは、
前記第１のプライマリセルから第１の送信電力を受け取ることに少なくとも部分的に基づいて前記ＴＴＩにおいて前記第１のセルグループと通信するための前記第１の送信電力を設定し、および、
前記第１のプライマリセルまたは前記第２のプライマリセルから第２の送信電力を受け取ることに少なくとも部分的に基づいて前記ＴＴＩにおいて前記第２のセルグループと通信するための前記第２の送信電力を設定するように構成された送信電力割り振りコンポーネントを備え、
ここにおいて、前記送信優先順位設定コンポーネントは、前記第１の送信電力および前記第２の送信電力に基づいて前記第１の通信または前記第２の通信を優先させることを決定するように構成され、および、
ここにおいて、前記通信コンポーネントは、前記ＴＴＩにおいて前記第１の送信電力に基づいて前記第１の接続を通じて前記第１の通信を送信しおよび前記第２の送信電力に基づいて前記第２の接続を通じて前記第２の通信を送信するように構成される、
Ｃ１６に記載の装置。
［Ｃ２２］
前記送信電力割り振りコンポーネントは、前記第１のプライマリセルを通じてトンネリングされたメッセージにおいて前記第２のプライマリセルから前記第２の送信電力を受け取るように構成される、
Ｃ２１に記載の装置。
［Ｃ２３］
前記送信電力割り振りコンポーネントは、前記第２の送信電力が受け取られるまで前記ＴＴＩにおいて前記第２のセルグループと通信するために異なる送信電力を使用するように構成され、ここにおいて、前記異なる送信電力は、前記第２のセルグループと通信するために使用された以前の送信電力である、
Ｃ２１に記載の装置。
［Ｃ２４］
前記送信電力割り振りコンポーネントは、前記第２の送信電力が受け取られるまで前記ＴＴＩにおいて前記第２のセルグループと通信するために異なる送信電力を使用するように構成され、ここにおいて、前記異なる送信電力は、前記第１の送信電力プラス前記第２のセルグループと通信する際に使用される現在の送信電力が利用可能な送信電力を超える場合に前記第１の送信電力に少なくとも部分的に基づいて設定される、
Ｃ２１に記載の装置。
［Ｃ２５］
前記送信電力割り振りコンポーネントは、前記第１の送信電力または前記第２の送信電力のうちの少なくとも１つを利用可能な送信電力の複数の割合のうちの１つにマッピングする値として受け取るように構成される、
Ｃ２１に記載の装置。
［Ｃ２６］
前記送信優先順位設定コンポーネントは、トランスポートブロックビットが関連するチャネルの内容に少なくとも部分的に基づいて前記第１の接続または前記第２の接続を通じての送信のために前記トランスポートブロックビットの数の優先順位を設定することを決定するように構成される、
Ｃ１６に記載の装置。
［Ｃ２７］
多元接続性無線ネットワークにおいて送信電力を割り振るための装置であって、
第１のセルグループ内の第１のプライマリセルと第１の接続を確立し、および第２のセルグループ内の第２のプライマリセルと第２の接続を確立するための手段と、
前記第１の接続を通じての第１の通信または前記第２の接続を通じての第２の通信のいずれを優先させるべきかを決定するための手段、ここにおいて、前記第１の通信および前記第２の通信は、同時送信のためにスケジューリングされる、と、
前記第１の通信または前記第２の通信のいずれを優先させるべきかを決定するための前記手段に少なくとも部分的に基づいて送信時間間隔（ＴＴＩ）において前記第１の接続を通じての前記第１の通信または前記第２の通信を通じての前記第２の通信のうちの少なくとも１つを送信するための手段と、を備える、多元接続性無線ネットワークにおいて送信電力を割り振るための装置。
［Ｃ２８］
前記第１の通信は、前記第１のプライマリセルとの前記第１の接続を通じて実行される第１のランダムアクセスプロシージャに関し、および、ここにおいて、前記第２の通信は、前記第２のプライマリセルとの前記第２の接続を通じて実行される第２のランダムアクセスプロシージャに関する、
Ｃ２７に記載の装置。
［Ｃ２９］
多元接続性無線ネットワークにおいて送信電力を割り振るためのコンピュータによって実行可能なコードを備えるコンピュータ可読記憶媒体であって、前記コードは、
第１のセルグループ内の第１のプライマリセルと第１の接続を確立し、および第２のセルグループ内の第２のプライマリセルと第２の接続を確立するためのコードと、
前記第１の接続を通じての第１の通信または前記第２の接続を通じての第２の通信のいずれを優先させるべきかを決定するためのコード、ここにおいて、前記第１の通信および前記第２の通信は、同時送信のためにスケジューリングされる、と、
前記第１の通信または前記第２の通信のいずれを優先させるべきかを決定するための前記コードに少なくとも部分的に基づいて送信時間間隔（ＴＴＩ）において前記第１の接続を通じての前記第１の通信または前記第２の通信を通じての前記第２の通信のうちの少なくとも１つを送信するためのコードと、を備える、コンピュータ可読記憶媒。
［Ｃ３０］
前記第１の通信は、前記第１のプライマリセルとの前記第１の接続を通じて実行される第１のランダムアクセスプロシージャに関し、および、ここにおいて、前記第２の通信は、前記第２のプライマリセルとの前記第２の接続を通じて実行される第２のランダムアクセスプロシージャに関する、
Ｃ２９に記載のコンピュータ可読記憶媒体。
【図１】
0006271809.tif 000002
【図２】
0006271809.tif 000003
【図３】
0006271809.tif 000004
【図４】
0006271809.tif 000005
【図５】
0006271809.tif 000006
【図６】
0006271809.tif 000007
【図７】
0006271809.tif 000008
【図８】
0006271809.tif 000009
【図９】
0006271809.tif 000010
【図１０】
0006271809.tif 000011
【図１１】
0006271809.tif 000012
【図１２】
0006271809.tif 000013
【図１３】
0006271809.tif 000014